(57)【特許請求の範囲】
【請求項１】
７．５〜５０ミクロンの平均粒径を有し、コア及び該コアを封入するポリマーシェルを含有するマイクロカプセルであって、
前記コアが、乳化可能な、嵩高いフレグランス分子を６０重量％超含むフレグランスを含むコア材料を含有し、
前記嵩高いフレグランス分子が、サリチル酸ベンジル［ＣＡＳ登録番号：０００１１８−５８−１］、カンファーガム粉末合成品［ＣＡＳ登録番号：００００７６−２２−２］、クマリン［ＣＡＳ登録番号：００００９１−６４−５］、シネオール１，８［ＣＡＳ登録番号：０００４７０−８２−６］、デルタ−ダマスコン［ＣＡＳ登録番号：５７３７８−６８−４］、ジフェニルオキシド［ＣＡＳ登録番号：０００１０１−８４−８］、グリーンアセテート［ＣＡＳ登録番号：８８−４１−５］、イソシクロシトラール［ＣＡＳ登録番号：１３３５−６６−６］、酢酸イソボルニル［ＣＡＳ登録番号：０００１２５−１２−２］、ＣＡＳ登録番号：８０−５４−６の化合物、メチルジオキソラン［ＣＡＳ登録番号：０６４１３−１０−１］、エチレンブラシラート［ＣＡＳ登録番号：１０５−９５−３］、ネロリン［ＣＡＳ登録番号：９３−１８−５］、ＣＡＳ登録番号：３２２１０−２３−４の化合物、ヤラヤラ［ＣＡＳ登録番号：００００９３−０４−９］、合成カンフルガム粉末［ＣＡＳ登録番号：４６４−４９−３］、セドロール［ＣＡＳ登録番号：７７−５３−２］、ＣＡＳ登録番号：８０６２３−０７−０の化合物及びＣＡＳ登録番号：５４８３０−９９−８の化合物からなる群から選ばれる少なくとも１種であり、
前記ポリマーシェルが、
ｉ）メタクリル酸、メタクリル酸メチル及びそれらの混合物からなる群から選択されるモノマー（Ｉ）、及び
ｉｉ）１，４−ブタンジオールジメタクリレートからなるモノマー（ＩＩ）
を含むモノマー混合物を重合形態で含み、
前記モノマー（Ｉ）が、前記混合物中に、モノマー（Ｉ）及び（ＩＩ）の総重量の３０重量％〜８０重量％の量で存在し、前記モノマー（ＩＩ）が、前記混合物中に、モノマー（Ｉ）及び（ＩＩ）の総重量の２０重量％〜７０重量％の量で存在する、マイクロカプセル。
【請求項２】
前記乳化可能なフレグランスが、少なくとも４種の異なる乳化可能なフレグランスの組み合わせを含む、請求項１記載のマイクロカプセル。
【請求項３】
前記モノマー（Ｉ）が、４１重量％の量のメタクリル酸；１６重量％の量のメタクリル酸メチルの組み合わせからなり、
前記モノマー（ＩＩ）が、４３重量％の量の１，４−ブタンジオールジメタクリレートからなり、
割合が、前記混合物中の前記モノマー（Ｉ）及び（ＩＩ）の総重量に関して表される、請求項１または２記載のマイクロカプセル。
【発明の詳細な説明】
【技術分野】
【０００１】
本発明は、特定の平均粒径を有し、フレグランスを含有するコア及び該コアを封入するポリマーシェルを含むマイクロカプセル、該マイクロカプセルの製造方法、該マイクロカプセルを含む摂取不可能な消費者製品（例えば、家庭用洗剤、洗濯用製品、パーソナルケア製品及び化粧品）、並びにフレグランスを含有するコア及び該コアを封入するポリマーシェルを含むマイクロカプセルからの漏出を低減させるための特定のポリマー架橋剤の使用に関する。
【背景技術】
【０００２】
保存中に香料、殺虫剤及び医薬品のような成分を保護し、放出を制御するためにカプセル化技術を使用することは、多くの産業においてよく知られている。尿素、メラミン及びホルムアルデヒドを含む縮合重合体をベースとするカプセルは、フレグランスのデリバリーとパフォーマンスをコントロールするために、洗剤及び化粧品において商業ベースで利用されている。しかしながら、ホルムアルデヒドは発がん性を有していると考えられているので、最終製品組成物中にホルムアルデヒドが存在することに関して不安がある。また、経験上、上記カプセルには、保存中にコア成分が漏出する等の、別の欠点があることがわかっている。
【０００３】
特許文献１には、建設業で使用される、特定のマイクロカプセルを含む潜熱蓄熱媒体が開示されている。特許文献１のマイクロカプセルは、好ましい平均粒径が３〜１２ミクロンであり、４．２２ミクロンのサイズ１種類のみが実証されている。
【０００４】
特許文献２には、リグノセルロース材料及び接着樹脂からなる成形体、該成形体の製造方法、並びに建設業で使用される、接着樹脂及びマイクロカプセルを含むバインダー組成物が開示されている。
【０００５】
特許文献３には、実質的に不浸透性のシェル壁を含むコアシェル粒子が開示されている。特許文献３の粒子シェルは、特に５〜９０重量％の多官能モノマーから形成されたコポリマーを含む。多官能モノマーに関しては、好ましくはジ−及びポリアクリレートであり、特に好ましいものは、１，４−ブタンジオールジアクリレートであり、非ジ−又はポリアクリレート架橋剤を選択した場合の利点については言及されていない。
【０００６】
特許文献４には、マイクロカプセルを含む、マイクロカプセル処方、洗濯洗剤及び洗浄剤組成物が開示されており、上記マイクロカプセルは、そのコア中に疎水性材料、具体的にはフレグランス又は香料を含むことが開示されている。特定の実施態様では、特許文献４のマイクロカプセルシェルは、不飽和部位が連続的な化学結合により結合しており、そのうちの少なくとも１個の結合が塩基加水分解可能である、アニオン形成性モノエチレン性不飽和モノマー及び／又はポリエチレン性不飽和モノマー；不飽和部位が連続的な化学結合により結合しており、そのうちの少なくとも１個の結合が酸加水分解可能である、カチオン形成性モノエチレン性不飽和モノマー及び／又はポリエチレン性不飽和モノマー１〜１００重量％；中性のモノエチレン性不飽和モノマー０〜９５重量％；分子中に少なくとも２個のエチレン性非共役二重結合を含み、永続的な架橋作用を有するモノマー０〜８０重量％、及び水溶性モノエチレン性不飽和モノマー０〜２０重量％からなり、モノマーの量は１００重量％に補充される。
【０００７】
特許文献５には、コア中にフレグランス又は香料を含有するマイクロカプセルを含む、マイクロカプセル製剤、洗濯洗剤及び洗浄剤組成物が開示されている。
【０００８】
特許文献６には、フレグランスのキャリアシステム、その製造方法及びさまざまな技術領域における該キャリアシステムの使用が開示されている。特許文献６の全ての実施例、特に最も多く実施されるものであると考えられる実施例１０及び１１は、かなりの量の１，４−ブタンジオールジアクリレートを含んでいる。
【０００９】
特許文献７には、数種の、しかし明らかに同等に適切な他の永続的な架橋作用を有するモノマーから得ることのできる、特定のマイクロカプセルが開示されている。最終的に、特許文献７に例示されているマイクロカプセルは、２．１７９〜５．５６７ミクロンの直径を有している。
【先行技術文献】
【特許文献】
【００１０】
【特許文献１】国際公開第９９／２４５２５号
【特許文献２】国際公開第２００５／１１６５５９号
【特許文献３】国際公開第２００５／１０５２９１号
【特許文献４】米国特許第６８４９５９１号
【特許文献５】米国特許第６９５１８３６号
【特許文献６】国際公開第２０１０／１１９０２０号
【特許文献７】米国出願公開第２０１０／０２８６０１８号
【発明の概要】
【発明が解決しようとする課題】
【００１１】
特許文献１はマイクロカプセルの漏れ性の問題については開示しておらず、数種の、明らかに同等に適切な別の架橋剤のリストが開示されている。しかし、非ジ−又はポリアクリレート架橋剤を選択した場合の利点については言及されていない。また、特許文献１の全ての実施例は、架橋剤として一般的なブタンジオールジアクリレートを含んでいるが、そのジオールの位置については言及されていない。
【００１２】
特許文献１と同様、特許文献２にもマイクロカプセルの漏れ性の問題については開示されておらず、数種の、明らかに同等に適切な別の架橋剤のリストが開示されている。しかし、非ジ−又はポリアクリレート架橋剤を選択した場合の利点については言及されていない。また、特許文献２の全ての実施例は、架橋剤として一般的なブタンジオールジアクリレートを含んでいるが、そのジオールの位置については言及されていない。
【００１３】
特許文献３に関しては、特許文献３の全ての実施例は、一般的なブタンジオールジアクリレートを含んでいるが、そのジオールの位置については言及されていない。
【００１４】
特許文献４に関しては、ポリエチレン性不飽和モノマーの具体的な実施例は、特許文献４にほとんど開示されておらず、該特許文献には、全体として酸又は塩基加水分解性能を測定すべき条件（例えば、温度又は時間）や、モノマーの加水分解の程度（全体的か、部分的か）については開示されていない。更に、特許文献４には、永続的な架橋作用を有する、数種の、明らかに同等に適切な別のモノマーのリストが開示されているが、永続的な架橋作用を有するモノマーを含む組成物を開示する実施例はない。同様に、非ジ−又はポリアクリレート架橋剤を選択した場合の利点については言及されていない。
【００１５】
特許文献５には、数種の、明らかに同等に適切な別の二官能性又は多官能性モノマーのリストが開示されている。特許文献５には、特定の組成物についてはなんら例示されておらず、非ジ−又はポリアクリレート架橋剤を選択した場合の利点については言及されていない。
【００１６】
特許文献６に関しては、エチレングリコールジメタクリレート以外の非アクリレート誘導体についても、非アクリレート誘導体を選択することにより生じる利点についてもなんら言及されていない。最終的に、特許文献６に例示されているマイクロカプセルは、２．１３〜５．９２ミクロンの直径を有する。
【００１７】
特許文献７に関しては、特許文献７の全ての実施例がジ−又はポリアクリレート誘導体（特に、１，４−ブタンジオールジアクリレート）を含み、非アクリレート架橋剤を選択することにより生じる利点について言及されていない。
【００１８】
したがって、黒い表面に沈着した時に肉眼で見えることなく、十分な量のフレグランスを包含することを可能にする適切な大きさを有し、特に保存中や好ましくは液状媒体中において漏出を低減させ、ホルムアミドの使用を回避することのできる、マイクロカプセルが依然として必要とされている。この要求は、建設業又はファブリックコーティング等の他の分野由来の全く異なる技術的制約を有する、摂取不可能な消費者製品（例えば、家庭用洗剤、洗濯用製品、パーソナルケア製品及び化粧品）、特に液状媒体を含むものの分野で熱望されている。
【００１９】
したがって、本発明の目的は、フレグランスを含むコア及び該コアを封入するポリマーシェルを含有するマイクロカプセルであって、特に、マイクロカプセルが液体媒体中に分散され、例えば、非可食性消費者製品、洗濯用製品、パーソナルケア製品又は化粧品において使用される場合に、保存に際してコア内に含まれる物質の漏出を低減することができるマイクロカプセルを提供することである。本発明の他の目的は、ホルムアルデヒドを含まない、上記マイクロカプセルを提供することである。本発明の他の目的は、上記マイクロカプセルを製造するための簡単かつ効果的な方法を提供することである。本発明の他の目的は、特に、上記マイクロカプセルが非可食性消費者製品、特に家庭用洗剤、洗濯用製品、パーソナルケア製品及び化粧品のような液状消費者製品の一部である場合の、上述したようなフレグランス含有マイクロカプセルからの漏出を低減するための技術的解決法を提供することである。
【課題を解決するための手段】
【００２０】
一態様では、本発明は、７．５〜５０ミクロンの平均粒径を有し、コア及び該コアを封入するポリマーシェルを含有するマイクロカプセルであって、
前記コアが、乳化可能なフレグランスを含むコア材料を含有し、
前記ポリマーシェルが、
ｉ）モノエチレン性不飽和モノマー、ジメチルジアリルアンモニウムクロリド（ＤＭＤＡＡＣ）及びそれらの混合物からなる群から選択されるモノマー（Ｉ）、及び
ｉｉ）ポリエチレン性不飽和モノマーであり、ジビニルベンゼン、トリビニルベンゼン、及び、多価の直鎖若しくは分枝鎖Ｃ２〜Ｃ２４のアルコール又は直鎖若しくは分枝鎖Ｃ２〜Ｃ２４のポリエチレングリコールに由来するメタクリル酸エステルからなる群から選択される１種以上のモノマーを含むモノマー（ＩＩ）
を含むモノマー混合物を重合形態で含み、
前記モノマー（Ｉ）が、前記混合物中に、前記モノマー（Ｉ）及び（ＩＩ）の総重量の３０重量％〜８０重量％の量で存在し、前記モノマー（ＩＩ）が、前記混合物中に、前記モノマー（Ｉ）及び（ＩＩ）の総重量の２０重量％〜７０重量％の量で存在する、マイクロカプセルに関する。
【００２１】
一態様では、本発明は、前記モノエチレン性不飽和モノマー（Ｉ）が、
ａ）Ｃ３〜Ｃ６のモノエチレン性不飽和モノ−又はポリカルボン酸；
ｂ）Ｃ３〜Ｃ６のモノエチレン性不飽和モノ−又はポリカルボン酸のアミド；
ｃ）一又は多置換されていてもよい、Ｃ３〜Ｃ６のモノエチレン性不飽和モノ−又はポリカルボン酸のＣ１〜Ｃ２４の直鎖又は分枝鎖アルキルエステル、及び
ｄ）一又は多置換されていてもよい、Ｃ３〜Ｃ６のモノエチレン性不飽和モノ−又はポリカルボン酸のＣ３〜Ｃ６のシクロアルキルエステル
からなる群から選択され、
任意の置換基が、ＯＨ、ＯＲ、Ｃ（Ｏ）Ｒ、ＮＨ２、ＮＨＲ、ＮＲ２、ＮＲ３＋、Ｃ５〜Ｃ６の芳香環又は芳香族複素環、及び、Ｃ３〜Ｃ１０のシクロアルキル又は複素環式アルキルからなる群から選択され、ＲがＣ１〜Ｃ４のアルキルである、前記マイクロカプセルに関する。
【００２２】
一態様では、本発明は、前記モノエチレン性不飽和モノマー（Ｉ）が、メタクリル酸、メタクリル酸メチル、メタクリル酸エチル、メタクリル酸イソプロピル、メタクリル酸イソボルニル及びそれらの混合物からなる群から選択され、好ましくはメタクリル酸、メタクリル酸メチル、メタクリル酸エチル及びそれらの混合物からなる群から選択される、前記マイクロカプセルに関する。一態様では、本発明は、前記モノエチレン性不飽和モノマー（Ｉ）が、メタクリル酸；及びメタクリル酸メチル又はメタクリル酸エチルの組み合わせを含む、前記マイクロカプセルに関する。
【００２３】
一態様では、本発明は、前記モノマー（ＩＩ）が、１，４−ブチレングリコールジメタクリレート、１，３−ブチレングリコールジメタクリレート、ペンタエリスリトールトリメタクリレート、グリセロールトリメタクリレート、１，２−プロピレングリコールジメタクリレート、１，３−プロピレングリコールジメタクリレート、エチレングリコールジメタクリレート、ジエチレングリコールジメタクリレート、グリセロールジメタクリレート、トリメチロールプロパントリメタクリレート、ジビニルベンゼン及びトリビニルベンゼンからなる群から選択される１種以上のモノマーを、前記混合物中に存在する全てのモノマー（ＩＩ）の総重量の少なくとも１０重量％の量で含む、前記マイクロカプセルに関する。
【００２４】
一態様では、本発明は、前記モノマー（ＩＩ）が少なくとも１，４−ブチレングリコールジメタクリレートを含む、前記マイクロカプセルに関する。
【００２５】
一態様では、本発明は、前記モノマー（ＩＩ）が１，４−ブチレングリコールジメタクリレートからなる、前記マイクロカプセルに関する。
【００２６】
一態様では、本発明は、前記乳化可能なフレグランスが、少なくとも４種の異なる乳化可能なフレグランスの組み合わせを含む、前記マイクロカプセルに関する。
【００２７】
一態様では、本発明は、前記コア材料が、香料として許容される溶媒を更に含む、前記マイクロカプセルに関する。
【００２８】
一態様では、本発明は、前記ポリマーシェルに対する前記コアの割合（すなわち、コア：ポリマーシェル）が５０：１〜１：１である、前記マイクロカプセルに関する。
【００２９】
一態様では、本発明は、
前記モノマー（Ｉ）が、メタクリル酸と、メタクリル酸メチル又はメタクリル酸エチルとの組み合わせを含み、好ましくはこれらからなり、
前記モノマー（ＩＩ）が、１，４−ブタンジオールジメタクリレートを含み、好ましくはこれからなる、前記マイクロカプセルに関する。
【００３０】
一態様では、本発明は、
前記モノマー（Ｉ）が、５０重量％〜６０重量％の量のメタクリル酸とメタクリル酸メチル又はメタクリル酸エチルとの組み合わせを含み、好ましくはこれらからなり、
前記モノマー（ＩＩ）が、４０重量％〜５０重量％の量の１，４−ブタンジオールジメタクリレートを含み、好ましくはこれらからなり、
割合は、前記混合物中の前記モノマー（Ｉ）及び（ＩＩ）の総重量に関して表される、前記マイクロカプセルに関する。
【００３１】
一態様では、本発明は、
前記モノマー（Ｉ）が、３５重量％〜４５重量％の量のメタクリル酸と、１１重量％〜１７重量％の量のメタクリル酸メチル又はメタクリル酸エチルとの組み合わせを含み、好ましくはこれらからなり（ただし、前記組み合わせは５０重量％〜６０重量％の量である）、
前記モノマー（ＩＩ）が、４０重量％〜５０重量％の量の１，４−ブタンジオールジメタクリレートを含み、好ましくはこれからなり、
割合は、前記混合物中の前記モノマー（Ｉ）及び（ＩＩ）の総重量に関して表される、前記マイクロカプセルに関する。
【００３２】
一態様では、本発明は、
前記モノマー（Ｉ）が、約４１重量％の量のメタクリル酸、約１６重量％の量のメタクリル酸メチル又はメタクリル酸エチルの組み合わせからなり、
前記モノマー（ＩＩ）が、約４３重量％の量の１，４−ブタンジオールジメタクリレートからなり、
割合は、前記混合物中の前記モノマー（Ｉ）及び（ＩＩ）の総重量に関して表される、前記マイクロカプセルに関する。
【００３３】
一態様では、本発明は、前記乳化可能なフレグランスが嵩高い香料分子を含む、前記マイクロカプセルに関する。
【００３４】
一態様では、前記シェルは、上述したように、メタクリル酸と、メタクリル酸メチル又はメタクリル酸エチルと、１，４−ブタンジオールジメタクリレートを含むモノマー混合物を重合形態で含み、好ましくはこれらからなる。
【００３５】
一態様では、本発明は、下記工程を含む、前記マイクロカプセルの製造方法に関する：
ａ）重合開始剤、乳化可能なフレグランスを含むフレグランス成分、モノマー混合物、乳化剤、及び、場合により、更に１種以上の封入すべき成分を含む、油相及び水相を有する水中油型エマルションを準備する工程、
ｂ）工程ａ）で得られた水中油型エマルション内で重合させる工程、
ｃ）重合を伝搬させてマイクロカプセルを得る工程。
【００３６】
一態様では、本発明は、前記マイクロカプセルを含む水性分散液に関する。
【００３７】
一態様では、本発明は、前記マイクロカプセルを含む製品であって、非可食性消費者製品、家庭用洗剤又は洗濯用製品、パーソナルケア製品、及び、化粧品からなる群から選択される製品に関する。
【００３８】
一態様では、本発明は、乳化可能な香料を含むコア材料を含有する、コア及び該コアを封入するポリマーシェルを含有するマイクロカプセルからの漏出を低減するための、ジビニルベンゼン、トリビニルベンゼン及び多価の直鎖若しくは分枝鎖Ｃ２〜Ｃ２４のアルコール又は直鎖若しくは分枝鎖Ｃ２〜Ｃ２４のポリエチレングリコールに由来するメタクリル酸エステルからなる群から選択される１種以上のモノマーを含む、ポリエチレン性不飽和モノマーの使用に関する。
【発明の効果】
【００３９】
本発明によれば、特にマイクロカプセルが液状媒体中に分散され、例えば、非可食性消費者製品、洗濯用製品、パーソナルケア製品又は化粧品において使用される場合に、保存に際してコアに含まれている物質の漏出を低減することができる、フレグランスを含むコア及び該コアを封入するポリマーシェルを含有するマイクロカプセルを提供することができる。更に、本発明によれば、ホルムアルデヒドを含まない、前記マイクロカプセルを提供することができる。更に、本発明によれば、前記マイクロカプセルを製造するための、簡単かつ効果的な方法を提供することができる。更に、本発明によれば、前記マイクロカプセルが非可食性消費者製品、特に家庭用洗剤、洗濯用製品、パーソナルケア製品及び化粧品のような液状消費者製品の一部である場合、上述したようなフレグランス含有マイクロカプセルからの漏出を低減するための技術的解決法を提供することができる。
【発明を実施するための形態】
【００４０】
以下、引用される全ての割合は、特に明記しない限り、重量％である。
【００４１】
特に明記しない限り、
「１つ」又は「前記乳化可能な香料」（“an” or “the emulsifiable fragrance”）は、１種以上の乳化可能な香料を意味し；
「１つ」又は「前記モノマー（Ｉ）」（“a” or “the monomer (I)”）は、１種以上のモノマー（Ｉ）を意味し；
「１つ」又は「前記モノマー（ＩＩ）」（“a” or “the monomer (II)”）は、１種以上のモノマー（ＩＩ）を意味し；
「１つ」又は「前記香料として許容される溶媒」（“a” or “the perfumery acceptable solvent）は、１種以上の溶媒として許容される溶媒を意味し；
「１つ」又は「前記重合開始剤」（“a” or “the polymerization initiator”）は、１種以上の重合開始剤を意味し；
「１つ」又は「前記乳化剤」（“an” or “the emulsifier”）は、１種以上の乳化剤を意味し；
「１つ」又は「前記有益剤」（“an” or “the benefit agent”）は、１種以上の有益剤を意味する。
【００４２】
特に明記しない限り、「コア材料」は、マイクロカプセルのカプセル化された内容物を意味する。一実施態様では、コア材料は、本明細書で定義される乳化可能なフレグランスと１種以上の更なる（及び場合により）カプセル化される成分を含み、好ましくはこれらからなる。一実施態様では、カプセル化される更なる任意成分は、本明細書に定義される香料として許容される溶媒及び／又は以下に定義する有益剤を含み、好ましくはこれらからなる。一実施態様では、本発明のマイクロカプセルのコアは、好ましくは本明細書に定義されるコア材料からなる。
【００４３】
特に明記しない限り、「フレグランス成分」は、本明細書に定義される乳化可能なフレグランスを含み、好ましくはこれらからなる、予備乳化し、かつ予備重合した組成物を意味する。
【００４４】
特に明記しない限り、「フレグランス（fragrance）」及び「香料(perfume)」という用語は置換可能に使用することができ、良い匂いを供給する嗅覚的に活性な物質を意味する。本発明で使用するのに適切な例示的なフレグランス混合物（香料の分野で一般に「原料」とも呼ばれる）は、Ａｌｌｕｒｅｄ  Ｐｕｂｌｉｓｈｉｎｇ  Ｃｏｒｐ．により発行された、S.Arctander, Perfume Flavors and Chemicals. Vols.I and II, Montclair, N.J and in Allured’s Flavor and Fragrance Materials 2007 ISBN 978-1-93263326-9に更に詳細に開示されている。「フレグランス」という用語には、香料として使用されることが知られている、天然並びに合成化学物質の両者が含まれる。
【００４５】
以下、本発明のマイクロカプセルと同様な、外部シェルに囲まれ、封入されたコアを有するマイクロカプセルも、「コアシェルマイクロカプセル」又は「コアシェル粒子」と呼ぶことができる。この用語は、カプセル化されたフレグランス及び香料の分野の研究者に周知であり、例えば、被験者に経口投与又は直腸投与するために薬学の分野で使用される、従来のシームレスソフトカプセル又はツーピースハードカプセル等の他の種類のカプセルとは構造的に（及び寸法的に）非常に異なっている。本発明のマイクロカプセルは、例えば、水溶性ポリマー及び疎水性フレグランスの混合物を噴霧乾燥することにより得ることのできるマトリクス粒子とも異なっている。実際、前記粒子では、疎水性物質は粒子の外部表面を構成するポリマーと区別することができないが、どちらかと言えば、二者は粒子内で混合されマトリクスを形成する。
【００４６】
特に明記しない限り、本発明のマイクロカプセルは、ヒト又は動物被験者に経口投与又は直腸投与することを意図していない。
【００４７】
特に明記しない限り、全ての化学用語は、A D McNaught and A Wilkinson Blackwell Scientific Publications Oxford 1997、及びIUPAC Nomenclature of Organic Chemistryにより編集され、Blackwell Scientific Publications Oxford 1993 ISBN 0632034882により発行された、IUPAC Compendium of Chemical Terminology第二版により定義された意味を有する。
【００４８】
本発明の「マイクロカプセル」は、７．５ミクロン（７．５μｍ）以上、好ましくは１０μｍ以上、好ましくは１５μｍ以上、好ましくは２０μｍ以上、好ましくは２５μｍ以上の平均粒径を有する。本発明の「マイクロカプセル」は、５０ミクロン（５０μｍ）以下、好ましくは４５μｍ以下、好ましくは４０μｍ以下の平均粒径を有する。本発明の「マイクロカプセル」は、７．５ミクロン（７．５μｍ）〜５０ミクロン（５０μｍ）、１０μｍ〜５０μｍ、７．５μｍ〜４５μｍ、１０μｍ〜４５μｍ、１５μｍ〜４５μｍ、１５μｍ〜４０μｍ、２０μｍ〜４５μｍ、２５μｍ〜４５μｍ、２５μｍ〜４０μｍ、又は２５μｍ〜３５μｍの平均粒径を有する。平均粒径はいくつかの異なる方法で測定することができるが、好ましい方法は、例えば、Ｍａｌｖｅｒｎ  Ｍａｓｔｅｒｓｉｚｅｒ又は平均粒径が体積粒径中央値Ｄ（ｖ：０．５）として得られる装置を使用する、光散乱によるものである。
【００４９】
本出願人により得られた実験結果によれば、シェルが本明細書に定義されるモノマー（Ｉ）を含み、前記値よりも小さい平均粒径を有するマイクロカプセルは、同一の出発原料及び作業条件を使用して得られた本出願に開示された範囲内の平均粒径を有するマイクロカプセルと比較し、漏出性が悪化している（すなわち、漏出性が増加している）ことが明らかになった。本発明のマイクロカプセルの漏出性の低減は、該マイクロカプセルを、液体洗剤、パーソナルケア製品又は化粧品のような液状媒体に分散させた時に特に明らかである。
【００５０】
先行技術に開示されているほとんどのマイクロカプセルは、この態様が効率的な重合に良好に対処し、良好な特性を有するカプセルをもたらすという技術的確信のために、平均粒径はかなり小さい。同時に、平均粒径は最終的なカプセルの漏出に著しく影響しないとも考えられている。本出願人により得られた実験結果によれば、重合工程での大きな問題は、漏出の観点から重要な利点をもたらす大きい平均粒径を得るように、大きいサイズのエマルション滴をカプセル化し、製造工程を実施する場合には直面しないことが示された。
【００５１】
本出願人により得られた実験結果によれば、良好な美的外観を有するカプセルを得ることを望む場合、前記値より大きい平均粒径を有するマイクロカプセルで作業しないことが推奨されることも明らかになった。実際、黒い表面に沈着した場合に、マイクロカプセルは肉眼で見ることのできないことが好ましいと考えられている。５０を超える平均粒径、例えば、６０又は７０ミクロン以上の粒径を有するマイクロカプセルが、好ましくない美的効果をもたらし得ることがわかっている。
【００５２】
一態様では、本発明は、コア及び該コアを封入するポリマーシェルを含有するマイクロカプセルであって、
前記マイクロカプセルが、フレグランス物質及びモノマー混合物のエマルションを重合することによって得られ、
前記フレグランス物質が乳化可能なフレグランスを含み、
前記シェルモノマー混合物が、
ｉ）モノエチレン性不飽和モノマー、ジメチルジアリルアンモニウムクロリド（ＤＭＤＡＡＣ）及びそれらの混合物からなる群から選択されるモノマー（Ｉ）と、
ｉｉ）ポリエチレン性不飽和モノマーであり、ジビニルベンゼン、トリビニルベンゼン、及び、多価の直鎖若しくは分枝鎖Ｃ２〜Ｃ２４のアルコール又は直鎖若しくは分枝鎖Ｃ２〜Ｃ２４のポリエチレングリコールに由来するメタクリル酸エステルからなる群から選択される１種以上のモノマー（ＩＩ）とを含み、
モノマー（Ｉ）が、前記混合物中に、モノマー（Ｉ）及び（ＩＩ）の総重量の３０重量％〜８０重量％の量で存在し、モノマー（ＩＩ）が、前記混合物中に、モノマー（Ｉ）及び（ＩＩ）の総重量の２０重量％〜７０重量％の量で存在していてもよい、マクロカプセルに関する。
【００５３】
一実施態様では、マイクロカプセルは、フレグランス物質、モノマー混合物及びカプセル化される任意の更なる成分からなるエマルションの重合によって得られる。一実施態様では、カプセル化される任意の更なる成分は、後述する香料として許容される１種以上の溶媒、及び／又は後述する１種以上の有益剤を含む。
【００５４】
本発明の一実施態様では、ポリマーシェルはホルムアルデヒドを含まない。一実施態様では、ホルムアルデヒドを含まないとは、ホルムアルデヒド又はホルムアルデヒドを放出する成分が、シェル内にシェルの重量の０重量％の量で存在することを意味する。
【００５５】
一実施態様では、モノマー混合物は、本明細書に定義されるモノマー（Ｉ）及び本明細書に定義されるモノマー（ＩＩ）からなる。
【００５６】
一実施態様では、モノマー混合物は、本明細書に定義されるモノマー（Ｉ）以外の任意のポリエチレン性不飽和モノマーを含まない。
【００５７】
一実施態様では、モノマー混合物は、本明細書に定義されるモノマー（ＩＩ）以外の任意のポリエチレン性不飽和モノマーを含まない。
【００５８】
特に明記しない限り、モノエチレン性不飽和モノマー（Ｉ）及びポリエチレン性不飽和モノマー（ＩＩ）はそれぞれ、重合可能なモノエチレン性不飽和モノマー（Ｉ）及び重合可能なポリエチレン性不飽和モノマー（ＩＩ）である。
【００５９】
一実施態様では、モノマー（Ｉ）は、少なくともモノエチレン性不飽和モノマー又は本明細書に定義されるモノエチレン性不飽和モノマーの混合物を含み、好ましくはこれらからなる。
【００６０】
他の実施態様では、モノマー（Ｉ）は、好ましくは少なくともジメチルジアリルアンモニウムクロリドを含み、更に好ましくはモノエチレン性不飽和モノマー又は本明細書に定義されるモノエチレン性不飽和モノマーの混合物と組み合わせて含む。
【００６１】
一実施態様では、モノマー（Ｉ）は、ジメチルジアリルアンモニウムクロリド、アクリル酸、メタクリル酸、マレイン酸、イタコン酸、２−（ジエチルアミノ）エチルメタクリレート、ジメチルアミノエチルメタクリレート、２−（ｔｅｒｔ−ブチルアミノ）エチルメタクリレート、Ｎ−［３−（ジメチルアミノ）プロピル］メタクリルアミド、３−トリメチルアンモニウムプロピルメタクリルアミドクロリド、メタクリル酸メチル、メタクリル酸エチル、メタクリル酸ｎ−プロピル、メタクリル酸イソプロピル、メタクリル酸ｔｅｒｔ−ブチル、メタクリル酸イソブチル、メタクリル酸ｎ−ブチル、メタクリルアミド、メタクリル酸ベンジル、メタクリル酸イソボルニル、メタクリル酸シクロヘキシル、メタクリル酸テトラヒドロフリル、メタクリル酸グリシジル、メタクリル酸２−ヒドロキシエチル、メタクリル酸ヒドロキシプロピル、ポリ（エチレングリコール）メチルエーテルメタクリレート、２−エチル（２−オキソイミダゾリジン−１−イル）メタクリレート、アクリルオキシエチルトリメチルアンモニウムクロリド、メタクリルオキシエチルトリメチルアンモニウムクロリド及びそれらの混合物からなる群から独立して選択される。
【００６２】
本発明のマイクロカプセルを保管することができる家庭用洗剤、パーソナルケア製品及び化粧品は、ある範囲のｐＨ範囲、すなわち、石灰のかすを除去するためのトイレ用洗浄剤、ある種の硬表面の洗浄剤、及び柔軟剤である完全に酸性のｐＨ値から、重質洗濯洗剤である完全にアルカリ性のｐＨを有する傾向にある。したがって、本発明の特定の一態様では、モノマー（Ｉ）は、酸性ｐＨ又はアルカリ性ｐＨへの長期曝露、及び高温の保存温度に対する加水分解に影響を受け難いことがわかっているものから選択されることが必要である。したがって、一実施態様では、モノエチレン性不飽和モノマー（Ｉ）は、メタクリル酸、メタクリル酸メチル、メタクリル酸エチル、メタクリル酸イソプロピル、メタクリル酸イソボルニル及びそれらの混合物からなる群から選択され、好ましくは、メタクリル酸と、メタクリル酸メチル又はメタクリル酸エチルとの組み合わせを含み、好ましくはこれらからなる。
【００６３】
一実施態様では、モノマー（ＩＩ）はポリエチレン性不飽和モノマーであり、ジビニルベンゼン、トリビニルベンゼン、及び、多価の直鎖若しくは分枝鎖Ｃ２〜Ｃ２４のアルコール又は直鎖若しくは分枝鎖Ｃ２〜Ｃ２４のポリエチレングリコールに由来するメタクリル酸エステルからなる群から選択される１種以上のモノマーを含んでいてもよい。
【００６４】
一実施態様では、モノマー（ＩＩ）は、少なくとも多価の直鎖若しくは分枝鎖Ｃ２〜Ｃ２４のアルコール又は直鎖若しくは分枝鎖Ｃ２〜Ｃ２４のポリエチレングリコールに由来するメタクリル酸エステルを含み、好ましくはこれらからなる。
【００６５】
一実施態様では、Ｃ２〜Ｃ２４のアルコールは、好ましくはＣ２〜Ｃ１２のアルコールであり、Ｃ２〜Ｃ２４のポリエチレングリコールは、好ましくはＣ２〜Ｃ１２のポリエチレングリコールである。
【００６６】
一実施態様では、多価の直鎖若しくは分枝鎖Ｃ２〜Ｃ２４のアルコール又は直鎖若しくは分枝鎖Ｃ２〜Ｃ２４のポリエチレングリコールに由来するメタクリル酸エステルは、１，４−ブチレングリコールジメタクリレート、１，３−ブチレングリコールジメタクリレート、ペンタエリスリトールトリメタクリレート、１，２−プロピレングリコールジメタクリレート、１，３−プロピレングリコールジメタクリレート、エチレングリコールジメタクリレート、ジエチレングリコールジメタクリレート、グリセロールジメタクリレート、トリメチロールプロパントリメタクリレート及び１，６−ヘキサンジオールジメタクリレートからなる群から選択される。
【００６７】
したがって、一実施態様では、モノマー（ＩＩ）は、少なくとも、１，４−ブチレングリコールジメタクリレート、１，３−ブチレングリコールジメタクリレート、ペンタエリスリトールトリメタクリレート、グリセロールトリメタクリレート、１，２−プロピレングリコールジメタクリレート、１，３−プロピレングリコールジメタクリレート、エチレングリコールジメタクリレート、ジエチレングリコールジメタクリレート、グリセロールジメタクリレート、トリメチロールプロパントリメタクリレート、１，６−ヘキサンジオールジメタクリレート、ジビニルベンゼン及びトリビニルベンゼンからなる群から選択された１種以上のモノマーを含み、好ましくはこれらからなる。
【００６８】
好ましくは、モノマー（ＩＩ）は、少なくとも１，４−ブチレングリコールジメタクリレート、１，３−ブチレングリコールジメタクリレート、グリセロールトリメタクリレート、１，２−プロピレングリコールジメタクリレート、１，３−プロピレングリコールジメタクリレート、エチレングリコールジメタクリレート、ペンタエリスリトールトリメタクリレート、ジエチレングリコールジメタクリレート、グリセロールジメタクリレート、トリメチロールプロパントリメタクリレート、ジビニルベンゼン及びトリビニルベンゼンの１種以上を含み、好ましくはこれらからなる。
【００６９】
更に好ましくは、モノマー（ＩＩ）は、少なくとも１，４−ブチレングリコールジメタクリレート及び／又は１，３−ブチレングリコールジメタクリレート、好ましくは１，−４−ブチレングリコールジメタクリレートを含み、好ましくはこれらからなる。
【００７０】
他の実施態様では、モノマー（ＩＩ）は、上述した多価の直鎖若しくは分枝鎖Ｃ２〜Ｃ２４のアルコール又は直鎖若しくは分枝鎖Ｃ２〜Ｃ２４のポリエチレングリコールに由来するメタクリル酸エステル、好ましくは少なくとも１，４−ブチレングリコールジメタクリレート及び／又は１，３−ブチレングリコールジメタクリレート、更に好ましくは少なくとも１，４−ブチレングリコールジメタクリレートを、混合物中に存在する全てのモノマー（ＩＩ）の総重量の少なくとも１０重量％、好ましくは少なくとも２０重量％、更に好ましくは少なくとも３０重量％、更に好ましくは少なくとも４０重量％、更に好ましくは少なくとも５０重量％、更に好ましくは少なくとも６０重量％、更に好ましくは少なくとも７０重量％、更に好ましくは少なくとも８０重量％、更に好ましくは少なくとも９０重量％、更に好ましくは１００重量％の量で含有する。
【００７１】
一実施態様では、上述した多価の直鎖若しくは分枝鎖Ｃ２〜Ｃ２４のアルコールに由来するメタクリル酸エステルは、エチレングルコールジメタクリレートを含まない。好ましくは、前記混合物はエチレングリコールジメタクリレートを含まない。
【００７２】
一実施態様では、モノマー（ＩＩ）、好ましくは前記混合物は、
無水カルボキシル基を含むポリエチレン性不飽和モノマー（例えば、３〜２０個の炭素原子を有するモノエチレン性不飽和モノカルボン酸の対称又は非対称分子間無水物を含むモノマー）、及び／又は
アルキレンビス（メタ）アクリルアミド基を含むポリエチレン性不飽和モノマー（例えば、Ν，Ν’−非置換Ｃ１〜１８アルキレンビス（メタ）アクリルアミド又は直鎖若しくは環状Ν，Ν’−置換Ｃ１〜１８アルキレンビス（メタ）アクリルアミド（ここで、置換基はＣ１〜８アルキル、Ｃ１〜１８ヒドロキシアルキル又は２〜５００アルキレン単位のポリオキシ（Ｃ１〜４）アルキレンであるか、それらが結合する窒素原子と一緒になり５〜８員環を形成するアルキル置換基から選択される））
を含まない。
【００７３】
一実施態様では、モノマー（ＩＩ）、好ましくは前記混合物は、１，６−ヘキサンジオールジメタクリレートを含まない。
【００７４】
一実施態様では、モノマー（ＩＩ）は、前記混合物中に存在する全てのモノマー（ＩＩ）の総重量の５０重量％未満、好ましくは４０重量％未満、好ましくは３０重量％未満、好ましくは２０重量％未満、好ましくは１０重量％未満、更に好ましくは５重量％未満、更に好ましくは１重量％未満の量で、多価の直鎖若しくは分枝鎖Ｃ２〜Ｃ２４のアルコール又は直鎖若しくは分枝鎖Ｃ２〜Ｃ２４のポリエチレングリコールに由来するアクリル酸エステルを含む。好ましくは、モノマー（ＩＩ）、更に好ましくは混合物は、多価の直鎖若しくは分枝鎖Ｃ２〜Ｃ２４のアルコール又は直鎖若しくは分枝鎖Ｃ２〜Ｃ２４のポリエチレングリコールに由来するアクリル酸エステルを含まない。
【００７５】
マイクロカプセルコアの必須成分は、コア中に存在する乳化可能なフレグランスである。
【００７６】
一実施態様では、コアは、好ましくは本明細書に定義されるコア材料からなる。
【００７７】
一実施態様では、乳化可能なフレグランスは、少なくとも２種、好ましくは少なくとも４種、更に好ましくは少なくとも８種の異なる乳化可能なフレグランスの組み合わせを含む。
【００７８】
一実施態様では、「乳化可能なフレグランス」という用語は、水中油型エマルション中で部分乳化又は完全乳化するのに適した疎水性（例えば、本出願において定義される、ＣｌｏｇＰに関して測定）を付与するフレグランスを意味する。通常、物質が非イオン性で、０より大きい（上限は含まれない）、更に好ましくは２以上のＣｌｏｇＰを有する場合に、本発明によって乳化することができる。最適な揮発性（マイクロカプセル破裂によるフレグランスの嗅覚効果に寄与する）を付与するため、乳化可能な物質は、例えば７以下、例えば６以下、例えば５以下、例えば４．５以下のＣｌｏｇＰを有することが好ましい。例えば、好ましい乳化可能なフレグランスは、２〜５、例えば２〜４．５の範囲のＣｌｏｇＰを有する。それぞれが異なるＣｌｏｇＰを有する、２種以上の異なるフレグランスの混合物を乳化することもできる。本実施態様では、混合物中の全てのフレグランスが、前記範囲内のＣｌｏｇＰを示す。また、混合物中の全てでないが、一部のフレグランスは、最終のフレグランスの組み合わせが前記範囲内のＣｌｏｇＰを示すという条件で、前記範囲外のＣｌｏｇＰを示してもよい。
【００７９】
一実施態様では、「乳化可能なフレグランスを含むフレグランス物質」という用語は、好ましくは、それぞれが０．５より大きいＣｌｏｇＰ（オクタノール／水）を有する１種以上の非イオン性フレグランスを含むフレグランス物質を６０重量％以上含むものを意味する。他の実施態様では、「乳化可能なフレグランスを含むフレグランス物質」という用語は、好ましくは、それぞれが１より大きい、好ましくは１．５より大きい、更に好ましくは２．０より大きいＣｌｏｇＰ（オクタノール／水）を有する１種以上の非イオン性フレグランスを含むフレグランス物質を８０重量％以上、好ましくは９０重量％以上含むものを意味する。
【００８０】
一実施態様では、「乳化可能なフレグランスを含むコア材料」又は「乳化可能なフレグランスを含むフレグランス物質」という用語は、コア材料及びフレグランス物質が、６より大きいＣｌｏｇＰを有する非イオン性フレグランスを含まないことを意味する。
【００８１】
非イオン性有機分子の水溶性は、理論的に導かれるパラメータＣｌｏｇＰと関連している可能性がある。ＣｌｏｇＰは、フレグランス成分のオクタノール／水分配係数（Ｐ）と関連している。フレグランスのオクタノール／水分配係数は、オクタノール中の平衡濃度と水中の平衡濃度との割合である。フレグランスの分配係数は、より簡便には、１０を底とする対数、ｌｏｇＰの形態で示される。多くのフレグランスのｌｏｇＰ値は、例えば、Daylight Chemical Information Systems, Inc. (Daylight CIS), Irvine, Calif.から入手できるＰｏｍｏｎａ９２データベースに報告されており、これには、元の文献の引用と共に多くのｌｏｇＰ値が記載されている。「計算したｌｏｇＰ（ＣｌｏｇＰ）は、Ｈａｎｓｃｈ及びＬｅｏのフラグメント法（A.Leo,in Comprehensive Medicinal Chemistry, Vol.4, C. Hansch, P.G. Sammens, J.B. Taylor and C.A. Ramsden, Eds., p.295, Pergamon Press, 1990を参照されたい。この文献は引用により本明細書に組み込まれる）により決定される。このフラグメント法はそれぞれのフレグランスの化学構造に基づいており、原子の数及び種類、原子の連結性、並びに化学結合を考慮したものである。最も信頼性が高くかつ広く用いられているＣｌｏｇＰ値はこの物理化学的特性を評価するものであり、本発明で有用なフレグランスの選択における実験的ｌｏｇＰ値の代わりに好ましく用いられる。値にいくらかの変動を示し得る、ｌｏｇＰ値を計算又は推定する他の法はいくつかある。アルゴリズムが測定された値に近い結果を与えるように修正され、ソフトウェアの指定されたセット内であっても計算は時間と共に変化する場合がある。あらゆる不確実さを排除するため、本明細書で報告されるＣｌｏｇＰ値は、CambridgeSoft Corporation,100 CambridgePark Drive, Cambridge, MA 02140 USA又はCambridgeSoft Corporation, 8 Signet Court, Swanns Road, Cambridge CB5 8LA UKから入手できるＣｈｅｍｏｆｆｉｃｅ  Ｕｌｔｒａ  Ｓｏｆｔｗａｒｅバージョン９内で使用できる「ＣＬＯＧＰ」プログラムにより計算するのが最も好都合である。ＣｌｏｇＰ値は、本発明で有用なフレグランスの選択において、計算的ｌｏｇＰ値の代わりに好ましく使用される。天然油又は抽出物については、該天然油組成物の組成は、分析により、またはＢＡＣＩＳ（Boelens Aroma Chemical Information Service, Groen van Prinsterlaan 21,1272 GB Huizen, The Netherlands）により公開されたＥＳＯ２０００データベースに開示されている組成を用いて決定することができる。
【００８２】
一実施態様では、乳化可能なフレグランスには、分子量が、それぞれ１００より大きく、好ましくは１２５より大きく、３２５未満であり、好ましくは３００未満であり、更に好ましくは２７５未満であるフレグランスが含まれる。この範囲の分子量を有するフレグランスは、バランスのとれた揮発度／疎水性を示し、マイクロカプセルがフレグランスを放出する時に嗅覚が顕著になるだけでなく、カプセル化の際にフレグランスを十分に水溶性にする。
【００８３】
乳化可能なフレグランスが１種以上の異なる乳化可能なフレグランス（例えば、少なくとも２種以上）を含む実施態様では、乳化可能なフレグランスの組み合わせは、−２０℃〜１２０℃の温度で固−液相変化を示さない。
【００８４】
特に明記しない限り、上述した種々の定義の組み合わせから得られる乳化可能なフレグランスは本発明を実施するのに適している。
【００８５】
一実施態様では、乳化可能なフレグランスは、コア重量の少なくとも４０重量％、好ましくは少なくとも６０重量％、より好ましくは少なくとも８０重量％含まれる。
【００８６】
一実施態様では、フレグランス物質は、フレグランス物質自体とカプセル化される他の任意成分の総重量の少なくとも４０重量％、好ましくは少なくとも６０重量％、より好ましくは少なくとも８０重量％含まれ、ここで、上記他の成分は上述した通りである。
【００８７】
一実施態様では、乳化可能なフレグランスは嵩高いフレグランス分子を含む。一実施態様では、フレグランス分子の重量の２０重量％超、好ましくは４０重量％超、更に好ましくは６０重量％超、更に好ましくは８０重量％超の１種以上の嵩高いフレグランス分子が含まれる。
【００８８】
一実施態様では、嵩高いフレグランス分子は、２００８年３月５日に公開され、「嵩高いフレグランス分子のカプセル化」という表題のついた、欧州特許第１８９４６０３号Ａ１に開示されているものである。
【００８９】
一実施態様では、嵩高いフレグランス分子は上述したような乳化可能なフレグランスである。好ましい一実施態様では、嵩高いフレグランス分子は、フレグランスのＣｌｏｇＰに関して、少なくとも上述した乳化可能なフレグランスである。一実施態様では、嵩高いフレグランス分子は３２５未満の分子量を有する。
【００９０】
一実施態様では、「嵩高いフレグランス分子」は下記からなる群から選択される：
一般名                                  ＣＡＳ登録番号
酢酸アンボリル（amboryl acetate）               ０５９０５６−６２−１
ａｍｂｒｏｘ  ＤＬ                              ００３７３８−００−９
ａｃｅｔｏｋｅｔａｌ                            ００５４０６−５８−６
ａｍｂｒｉｎｏｌ（商標）                        ０４１１９９−１９−３
酢酸オイゲノール                                ９３−２８−７
アセチルバニリン                                ８８１−６８−５
アンバーコア（amber core、商標）                １３９５０４−６８−０
アンブレトン（ambretone、商標）                 ３７６０９−２５−９
アンブレットリド（ambrettolide、商標）          ２８６４５−５１−４
酢酸アニシル                                    １０４−２１−２
バクダノール（bacdanol、商標）                  ２８２１９−６１−６
ベンジルジメチルカルビニルアセテート            １５１−０５−３
ベータ−ホモシクロシトラール                    ４７２−６６−２
ボロナール                                      ３１５５−７１−３
ｂｒａｈｍａｎｏｌ（商標）                      ７２０８９−０８−８
ベンゾフェノン                                  ０００１１９−６１−９
サリチル酸ベンジル                              ０００１１８−５８−１
ベンジルオイゲノール                            ０５７３７１−４２−３
経皮酸ベンジル                                  ０００１０３−４１−３
ボルネオ−ル，Ｌ                                ０００４６４−４５−９
酢酸ボルニル                                    ００００７６−４９−３
ボージュナール                                  １８１２７−０１−０
カロン（商標）                                  ２８９４０−１１−６
セタロックス（商標）                            ００３７３８−００−９
セレストリド（商標）                            ０１３１７１−００−１
カンフェン                                      ００００７９−９２−５
カンファーガム粉末合成品                        ００００７６−２２−２
サリチル酸シクロヘキシル                        ０２５４８５−８８−５
シクラプロップ（商標）                          ０１７５１１−６０−３
ｃｙｃｌａｂｕｔｅ（商標）                      ０６７６３４−２０−２
ｃｙｃｌａｃｅｔ（商標）                        ００５４１３−６０−５  
クマリン                                        ００００９１−６４−５
経皮酸シンナミル                                ０００１２２−６９−０
カリオフィレン，ベータ                          ００００８７−４４−５
カリオフィレン                                  ００００８７−４４−５
酢酸カリオフィレン                              ０５７０８２−２４−３
セドランバー                                    ０１９８７０−７４−７
アルファセドレン                                ４６９−６１−４
酢酸セドレニル                                  １４０５−９２−１
酢酸セドリル                                    ００００７７−５４−３
セドリルメタエーテル                            ０１９８７０−７４−７  
ギ酸セドリル                                    ０３９９００−３８−４
シネオール１，８                                ０００４７０−８２−６
シネオール１，４                                ０００４７０−６７−７
カシュメラン（商標）                            ０３３７０４−６１−９
セダノール（cedanol）                           ００７０７０−１５−７
アルファコパエン                                ３８５６−２５−５
シクロヘキシルアンスラニレート                  ７７７９−１６−０
２−シクロヘキシリデン−２−フェニルアセトニトリル    １０４６１−９８−０
シンナミルフェニルアセテート                    ７４９２−６５−１
セドロキシド（商標）                            ７１７３５−７９−０
セレリーケトン                                  ３７２０−１６−９
シベトン                                        ５４２−４６−１
クラリセット                                    １３１７６６−７３−９
コニフェラン（coniferan）                       ６７８７４−７２−０
デルタ−ダマスコン                              ５７３７８−６８−４
ダマスコール４                                  ４９２７−３６−０
デルタ−ムスセノン                              ８２３５６−５１−２
ジヒドロフロラロール                            ６８４８０−１５−９
ジヒドロジャスモン                              １１２８−０８−１
ダイナスコン                                    ５６９７３−８５−４
アルファ−ダマスコン                            ２４７２０−０９−０
ガンマ−ダマスコン                              ３５０８７−４９−１
デカヒドロベータナフチルアセテート，トランス    ０１０５１９−１１−６
ドレモックス（商標）                            ０９４２０１−７３−７
ジフェニルオキシド                              ０００１０１−８４−８
ジベンジルケトン                                ０００１０２−０４−５
ダルシニル（商標）                              ０５５４１８−５２−５
エバノール（商標）                              ６７８０１−２０−１
エキサルトライド（商標）                        １０６−０２−５
エキサルトン（商標）                            ５０２−７２−７
フローラサントール（florasantol、商標）         ０６７７３９−１１−１
フェンチルアルコール                            ００１６３２−７３−１
フロレックス                                    ０６９４８６−１４−２
フルイテート（商標）                            ０８０６５７−６４−３
フェンコール                                    ２２６２７−９５−８
酢酸フェンチル                                  １３８５１−１１−１
フローラマット（floramat、商標）                ６７８０１−６４−３
フライストン（fraistone、商標）                 ６２９０−１７−１
ガラクソリド（商標）                            ００１２２２−０５−５
グリサルバ                                      ０６８６１１−２３−４
グロバリド（商標）                              ３４９０２−５７−３
グリーンアセテート                              ８８−４１−５
ｈｅｌｉｏｂｏｕｑｕｅｔ（商標）                ００１２０５−１７−０
スピロデカン（商標）                            ６４１３−２６−９
ヘジオン（商標）                                ２４８５１−９８−７
イソシクロゲラニオール                          ６８５２７−７７−５
イソシクロシトラール                            １３３５−６６−６
イソボルネオール                                ０００１２４−７６−５
酢酸イソボルニル                                ０００１２５−１２−２
ギ酸イソボルニル                                １２００−６７−５
イソボルニルメチルエーテル                      ５３３１−３２−８
イソＥスーパー（商標）                          ０５４４６４−５７−２
プロピオン酸イソボルニル                        ００２７５６−５６−１
イソプロキセン                                  ０９０５３０−０４−４
イソロンギフォラノン                            ０１４７２７−４７−０
イソブチルキノリン                              ０６５４４２−３１−１
インドレン                                      ０６８９０８−８２−７
ガンマ−イオノン                                ７９−７６−５
アルファ−イオノン                              １２７−４１−３
ジヒドロイソジャスモネート                      ３７１７２−５３−５
ジャスメリア（商標）                            ５８２８５−４９−３
カラナル（karanal、商標）                       １１７９３３−８９−８
ケファリス（商標）                              ３６３０６−８７−３
レボサンドール（商標）                          ２８２１９−６１−６
リリアール（商標）                              ８０−５４−６
ｌｙｒａｍｅ（商標）                            ０６７６３４−１２−２
アルファイソメチルイオノン                      １３３５−４６−９
メチルナフチルケトン結晶                        ００００９３−０８−３
メチルライトン                                  ９４２０１−１９−１
メチルジオキソラン                              ０６４１３−１０−１
メチルジャスモネート                            １２１１−２９−６
ムスコン                                        ５４１−９１−３
ジャコウアンブレット                            ８３−６６−９
エチレンブラシラート                            １０５−９５−３
ムスクチベテネ（musk thibetene）                １４５−３９−１
ネロリン                                        ９３−１８−５
ナフトールイソブチルエーテル，ベータ            ００２１７３−５７−１
ノートカトン９８％                              ００４６７４−５０−４
ネオプロキセン                                  １２２７９５−４１−９
（１２Ｒ，９Ｚ）−ニルバノリド（商標）          ２２１０３−６１−８
ノポール                                        １２８−５０−７
酢酸ノピル                                      ３５８３６−７２−７
オコウマル（商標）                              １３１８１２−６７−４
オリニフ（商標）                                １２５３５２−０６−９
オリボン（商標）                                １６５８７−７１−６
パリサンジン                                    ２９８６−５４−１
ピネン，アルファ                                ００００８０−５６−８
ピネン，ベータ                                  ０００１２７−９１−３
フェニルエチルフェニルアセテート                ０００１０２−２０−５
ファントリド（商標）                            ０１５３２３−３５−０
プリカトン（商標）                              ０４１７２４−１９−０
パトコーン（patchone）                          ９８−５２−２
パチュリケトン（patchouly ketone）              ９８−５３−３
酢酸ピペロニル                                  ３２６−６１−４
ポリサントール（商標）                          １０７８９８−５４−４
プレシクレモンＢ                                ５２４７４−６０−９
ロマスコン（商標）                              ８１７５２−８７−６
ルボフィックス（商標）                          ０４１８１６−０３−９
サンダルマイソールコア（商標）                  ２８２１９−６０−５
サンダロール（商標）                            ６５１１３−９９−７
サンタレックスＴ（商標）                        ０６８８７７−２９−２
センテナール（商標）                            ０８６８０３−９０−９
スピランブレン（商標）                          １２１５１−６７−０及び
１２１５１−６８−１
トナリド（商標）                                ０２１１４５−７７−７
トラセオリド（商標）                            ０６８１４０−４８−７
チモキサン（thymoxane）                         ７０７−２９−９
チンベロール（商標）                            ７０７８８−３０−６
トリモフィックスＯ（商標）                      ２８３７１−９９−５
バニリンプロピレングリコールアセタール          ０６８５２７−７４−２
ヴィゴフロー（商標）                            ０６８４８０−１１−５
ベルドール（商標）                              １３４９１−７９−７
ベルートン                                      ６５４４３−１４−３
ベラトルムアルデヒド                            １２０−１４−９
ベラトリク酸（veratricacid）                    ９３−０７−２
ヴェルテネックス（商標）                        ３２２１０−２３−４
バイオリッフ（商標）                            ８７７３１−１８−８
ヤラヤラ                                        ００００９３−０４−９
【００９１】
一実施態様では、カプセル化される任意成分としては、１種以上の香料として許容される溶媒が挙げられる。通常、溶媒は、フレグランス物質の重量の３０重量％未満、好ましくは２０重量％未満、より好ましくは１０重量％未満、更に好ましくは５重量％未満の量で存在する。
【００９２】
溶媒は、フレグランス産業において、嗅覚的に強力な成分を希釈し、固体成分を溶解し、液体として取り扱うことによって固体成分の取り扱いを容易にするために、また単に単位重量あたりの全体のフレグランスの費用を低減するために慣習的に使用される。可能であれば、カプセル化を意図したフレグランス組成物を希釈しないようにすることが好ましい。有益剤又は他のフレグランス物質成分（例えば、室温で固体である香料）を溶解するために使用できるように、室温（例えば、２０℃）で液体である、本明細書に定義される特定のフレグランスは、溶媒特性も付与される。その溶媒特性により使用することもできる香料は、上述したよりも多い量で、フレグランス物質中に存在していてもよい。
【００９３】
一実施態様では、１種以上の香料として許容される溶媒は、安息香酸ベンジル、ミリスチン酸イソプロピル、アジピン酸ジアルキル、クエン酸エステル（例えば、クエン酸アセチルトリエチル、クエン酸アセチルトリブチル及びクエン酸トリエチル）、フタル酸ジエチル、プロピレングリコール、ジプロピレングリコール、及びブチレングリコールからなる群から各々独立して選択される。
【００９４】
一実施態様では、１種以上の香料として許容される溶媒としては、水と混合しない溶媒が挙げられる。ここで、水と混合しないとは、好ましくは水中での溶解度が１０ｇ／Ｌ未満であることを意味する。
【００９５】
一実施態様では、カプセル化される任意成分としては、１種以上の有益剤が挙げられる。したがって、一実施態様では、コア材料には更に１種以上の有益剤が含まれる。本明細書に定義される特定の有益剤は、本明細書に定義されるフレグランスでもあり、逆もまた同様である。
【００９６】
一実施態様では、有益剤は、任意の乳化可能な材料として定義され、家庭用製品、パーソナルケア製品又は化粧品として使用される場合に利益を供給するために保存中に存在し続けることができる。
【００９７】
有益剤としては、例えば、弛緩薬又は刺激剤としての治療効果を有する天然抽出物又は天然物質が挙げられ、ホホバ油又はアーモンド油のような皮膚に有益な天然油又は植物抽出物は有益剤である。提案されている多くのメカニズムのいずれかによって悪臭及びその知覚を抑制又は低減する物質は、リノール酸亜鉛（ＣＡＳ登録番号１３０４０−１９−２）等の有益剤である。例えば、液状製品中でカプセルを安定化するのに役立ち得るクエン酸トリエチル、オクタアセチルスクロース又はスクロースヘキサブチレートジアセテートのような有機密度修正剤等の物質は、カプセル化の前にエマルションに添加した時に、コアエマルションの特性、又はカプセル自体の特性を改善する。有益剤としては、ヒドロキシ脂肪酸、又はＡｒｉｓｏｎａ  Ｃｈｅｍｉｃａｌｓから入手できるさまざまな範囲のＳｙｌｖａｃｌｅａｒ（商標）のような、コアに対してゲル化剤として機能し得る物質が挙げられる。Ｍ  Ｅｒｍａｎによる、Cosmetics and Toiletries Vol.120 No 5 p105に開示されたような、加温効果又は冷却効果を付与する物質も有益剤である。このような有益剤の例としては、特に限定されないが、ＷＳ３ＴＭとして知られているシクロヘキサンカルボキシアミドＮ−エチル−５−メチル−２−（１−メチルエチル）（ＣＡＳ登録番号３９７１１−７９−０）；ＷＳ２３ＴＭとして知られているＮ，２，３−トリメチル−２−イソプロピルブタンアミド（butamide）（ＣＡＳ登録番号５１１１５−６７−４）；乳酸メンチル（ＣＡＳ登録番号５９２５９−３８−０）；及びクールアクト１０ＴＭとして知られている（−）−メントキシプロパン１，２−ジオールが挙げられる。皮膚美白剤等の物質も、本発明による有益剤である。ＭｅｒｃｋのＩＲ３５３５ＴＭとして知られているエチルブチルアセチルアミノプロピオネート（ＣＡＳ登録番号５２３０４−３６−６）；Ｎ，Ｎ−ジエチルトルアミド（ＣＡＳ登録番号１３４−６２−３）；１−ピペリジンカルボン酸；Ｂａｙｒｅｐｅｌ（商標）として知られている２−（２−ヒドロキシエチル）−１−メチルプロピルエステル（ＣＡＳ登録番号１１９５１５−３８−７）；又はｐ−メンタン−３，８−ジオール（ＣＡＳ登録番号４２８２２−８６−６）、ティーツリー油、ニーム油、シトロネラ油若しくはユーカリ油のような天然植物油に例示される防虫剤として機能する物質は有益剤である。トリクロサン（商標）（ＣＡＳ登録番号３３８０−３４−５）、メチル、エチル、プロピル及びブチルパラヒドロキシ安息香酸エステル（ＣＡＳ登録番号４２４７−０２−３、９４−２６−８、９４−１３−３、１２０−４７−８、９９−７６−３）などの抗菌剤として機能する物質は有益剤である。メトキシケイ皮酸オクチル、ベンゾフェノン３、ブチルメトキシジベンゾイルメタン又はビスエチルヘキシルオキシフェノールメトキシフェニルトリアジンのようなＵＶ吸収剤として機能する物質は有益剤である。上述した物質は有益剤を例示することを意図しているが、有益剤をこのリストに限定することを意図するものではない。上記物質の混合物も、本発明の有益剤として考えられる。したがって、パーソナルケア製品の可動部（ｌｅａｖｅ）内の防虫剤にＵＶ吸収剤を組み合わせること、また、より広い抗菌保護のために殺菌剤に抗真菌剤を組み合わせることは有利である場合がある。更に、ある種の物質は１種以上の利益を示すことが認められる場合がある。したがって、クエン酸トリエチルは、溶媒として、また密度修正剤として機能し得る。
【００９８】
一実施態様では、１種以上の有益剤は、それぞれが、ＣｌｏｇＰが０より大きい（０を含まない）、好ましくは０．５より大きい、更に好ましくは２より大きい非イオン性物質である。
【００９９】
一実施態様では、１種以上の有益剤は、それぞれ、
ホホバ油又はアーモンド油等の弛緩薬又は刺激剤、
リシノール酸亜鉛等の悪臭及びその知覚を抑制又は低減する物質、
クエン酸トリエチル、スクロースオクタアセテート、又はスクロースヘキサブチレートジアセテート等のマイクロカプセルの物理化学的性質を改善する物質、
ヒドロキシ脂肪酸又はＡｒｉｓｏｎａ  Ｃｈｅｍｉｃａｌｓから入手できるさまざまな範囲のＳｙｌｖａｃｌｅａｒ（商標）等のゲル化剤、
シクロヘキサンカルボキシアミドＮ−エチル−５−メチル−２−（１−メチルエチル）；Ｎ，２，３−トリメチル−２−イソプロピルブタンアミド；乳酸メンチル；（−）−メントキシプロパン１，２−ジオール等の、加温効果又は冷却効果を付与する物質、
エチルブチルアセチルアミノプロピオネート；Ｎ，Ｎ−ジエチルトルアミド；１−ピペリジンカルボン酸；２−（２−ヒドロキシエチル）−１−メチルプロピルエステル；ｐ−メンタン−３，８−ジオール、ティーツリー油、ニーム油、シトロネラ油、及びユーカリ油等の防虫剤、
ＣＡＳ登録番号３３８０−３４−５を有するトリクロサン（商標）化合物、又は、メチル、エチル、プロピル及びブチル−パラヒドロキシ安息香酸エステル等の抗菌剤、
メトキシケイ皮酸オクチル、ブチルメトキシジベンゾイルメタン、及びビスエチルヘキシルオキシフェノールメトキシフェニルトリアジン等のＵＶ吸収剤
からなる群から独立して選択される。
【０１００】
シェルの厚みは、カプセルの浸透性及び性能において重要な役割を果たし得る。このパラメータは、破壊によってフレグランスを放出する砕けやすいカプセルにとって特に重要である。シェルが厚すぎると、使用の際にカプセルが破壊しないが、シェルが薄すぎると、カプセルは、製品の生産における製造及び輸送の際に残存しないであろう。一実施態様では、本発明は、コア−シェルの重量比は、好ましくは５０：１〜１：１であり、より好ましくは３０：１〜１：１であり、更に好ましくは２０：１〜１：１であり、更により好ましくは１０：１〜１：１であるマイクロカプセルに関する。
【０１０１】
一実施態様では、本発明は、マイクロカプセルが実質的に球形であるマイクロカプセルに関する。
【０１０２】
本発明のマイクロカプセルは、マイクロカプセルを製造するために当業者に公知の様々な従来法、例えば、コアセルベーション、界面重合、フリーラジカル重合又は重縮合を用いて製造することができる。これらの方法は周知であり、例えば、米国特許第３５１６９４１号、米国特許第４５２０１４２号、米国特許第４５２８２２６号、米国特許第４６８１８０６号、米国特許第４１４５１８４号、英国特許出願公開第２０７３１３２号Ａ；国際公開第９９／１７８７１号；並びにＢｅｎｉｔａ及びＳｉｍｏｎ編集、MICROENCAPSULATION Methods and Industrial Applications（Marcel Dekker,Inc.1996）を参照されたい。
【０１０３】
一実施態様では、本発明のマイクロカプセルは、重合工程を通して都合良く製造することができる。一実施態様では、重合は、従来のラジカル重合、リビングラジカル重合又は短鎖重合である。上記ラジカル重合プロセスは当業者に公知であり、Moad,Graeme；Solomon,David H.；The Chemistry of Radical Polymerization, 第２版；Elsevier,2006に更に詳細に開示されており、この文献は引用により本明細書に組み込まれる。
【０１０４】
従来のラジカル重合と比較し、リビングラジカル重合との主な相違点は、可逆的ラジカル終結処理（a reversible radical termination process）を導入することである。ドーマント鎖（可逆的に終了）及びアクティブ鎖（ラジカルを含む）の平衡に依拠することにより、伝搬するラジカルの瞬間濃度は低くなり、不可逆的終結及び分解鎖の移動は顕著に減少する。ある程度の終結は不可避であるが、重合終了時に主としてドーマント鎖が存在することにより、分子量、組成及び鎖トポロジーが制御されたポリマーの製造が可能になる。リビングラジカル重合の例としては、原子移動ラジカル重合、ニトロキシドを介したラジカル重合、可逆的付加開裂連鎖移動、及び、キサント酸塩の交換による高分子設計のような変性トランスファーを含む、他の関連する方法が挙げられるが、これらに限定されない。上記リビングラジカル重合を得るための具体的なカゴ物及び相対量は、重合の分野における当業者に周知である。更なる説明は、文献、例えば、Braunecker,W ade A.；Matyjaszewski, Krzysztof；”Controlled/Living Radical Polymerization: Features, Developments, and Perspectives”；Progress in Polymer Science 2007、Volume 32、第１版、93-146ページに見出すことができる。
【０１０５】
短鎖重合は、連鎖移動が、生成されるポリマーのサイズを制限し、その結果テロマーと呼ばれるオリゴマーを生成する、ラジカル重合反応である。短鎖重合は、重合されるモノマーの重量に基づいて通常０．０５〜０．５％で使用される、テロゲンと呼ばれる活性連鎖移動剤又は調節剤を必要とする。テロゲンの例としては、２−エチルヘキシルチオグリコレート、ｔｅｒｔ−ドデシルメルカプタン、チオグリコール酸、及び２−メルカプトエタノールのようなメルカプト化合物が挙げられるが、これらに限定されない。短鎖重合は、文献、例えば、Boutevin, Bernard；”From Telomerization to Living Radical Polymerization”；Journal of Polymer Science Part A:Polymer Chemistry 2000、Volume 38、第１８版、3235-3243ページに更に説明されており、これらの文献は引用として本明細書に組み込まれる。
【０１０６】
本発明の製造過程によれば、油溶性成分を均質な溶液に混合及び溶解し、別に水溶性成分を均質な溶液に混合及び溶解することにより、水中油型エマルションを製造することができる。エマルションは、的確な粒径の安定エマルションを生成するのに十分な時間、高せん断ミキサーを用いて混合することにより、最終的に得ることができる。同時に、エマルションを窒素又は他の不活性ガスでパージしてもよい。空気をいったん排除すると、温度が上昇して重合が開始する。的確な温度及び温度の上昇割合は、使用される開始剤又は複数の開始剤の組み合わせにより決定される。通常は、重合温度は４０℃〜９０℃である。重合速度は、実験における特定のモノマー及び開始剤についての温度及び重合開始剤の使用量の適切な選択により、公知の方法により調節することができる。いったん重合温度に到達すると、更に、例えば２〜６時間、重合が継続し、モノマーの反応が完了する。
【０１０７】
この基本的なカプセル化法には多くの多様性がある。例えば、乳化は、当業者に周知の全ての様々な方法を用いて実施することができる。例えば、界面活性剤の添加に低せん断混合を組み合わせることにより、所望の粒径を形成するために使用される初期高せん断混合に代え、エマルションの分散を維持するための保護コロイドと一緒に低せん断撹拌を行い、エマルションを生成することができる。重合の際に、残存モノマー濃度を低減するために、追加の開始剤を加えてもよい。添加量を調節するために、反応の過程において、モノマーを加えてもよい。例えば、ｐＨを緩衝化するために塩を加えてもよい。
【０１０８】
一実施態様では、重合は、ラジカル開始剤、レドックス開始剤、光開始剤、又はそれらの混合物の分解（例えば、熱分解）を誘導することにより開始する。重合は、開始剤の適切な選択及び条件に依存し、エマルションの油相又は水相のいずれかで開始することができる。適切な開始剤及び条件を選択することにより、二相で別個に重合を開始することも可能である。
【０１０９】
一実施態様では、工程ｂ）は、
水中油型エマルションを熱及び／又はＵＶ光にさらし、及び／又は
水中油型エマルション内でレドックス反応を開始する
ことを含む。
【０１１０】
一実施態様では、乳化剤は、
１種以上の界面活性剤、及び／又は
１種以上の保護コロイド
からなる群から選択される。
【０１１１】
保護コロイド及び／又は界面活性剤は、重合が起こる際の機械的撹拌によって形成される水中油型エマルションを安定化するために、乳化重合及び懸濁重合において慣習的に用いられる。
【０１１２】
一実施態様では、エマルションは、カプセル化される任意成分を更に含んでいてもよい。一実施態様では、このような任意成分としては、本明細書で上記に定義した１種以上の水と混合しない香料として許容される溶媒及び／又は本明細書に定義した１種以上の有益剤を含み、好ましくはこれらからなる。
【０１１３】
一実施態様では、乳化剤は界面活性剤である。界面活性剤は両親媒性分子であり、すなわち、界面活性剤は疎水性部分及び親水性部分からなる。疎水性部分は、一般的に直鎖であっても分枝鎖であってもよく、芳香環を含んでもよい、炭素数８〜２０の炭化水素アルキル鎖である。分子の親水性部分は、非イオン性、アニオン性、カチオン性又は両性イオン性基であってもよい。通常に使用される非イオン性親水性基としては、異なる鎖長、通常は３〜５０個のエチレン単位長のポリエトキシ化基及びポリプロポキシ化基、若しくは二者の混合物、又はアルキルエステル又はアルキルエーテルのいずれかとしてのグリセリド若しくは単糖類が挙げられる。非イオン性乳化剤の例としては、Ｓｈｅｌｌから入手可能なＮｅｏｄｏｌ（登録商標）ポリエトキシ化アルコール、ＢＡＳＦから入手可能なＣｒｅｍｏｐｈｏｒ（登録商標）ポリエトキシレート、Ｃｏｇｎｉｓから入手可能なさまざまな範囲のＰｌａｎｔａｃａｒｅ（登録商標）アルキルポリグリコシド、又は三菱化学株式会社から入手可能な糖エステルが挙げられる。アニオン性親水性部分は、一般に硫酸塩、スルホン酸塩、スルホコハク酸塩、リン酸塩又はカルボン酸基のアンモニウム塩又はアルカリ金属塩からなる。このような界面活性剤の例としては、アルキルベンゼンスルホン酸ナトリウム、アルキル硫酸ナトリウム、ジアルキルスルホコハク酸塩又はカルボン酸ナトリウムが挙げられる。カチオン性界面活性剤は、通常はハロゲン化物の４級アンモニウム塩、又は、メトスルホネートアニオン、例えば、Ｈｏｅｓｃｈｔ  ｓａｌｔｓからＰｒａｐａｇｅｎ（登録商標）の名称で市販されているモノアルキルトリメチルアンモニウムクロリドである。適切な粒径のエマルションを得るための適切な界面活性剤又は界面活性剤の混合物の選択は当業者に周知であり、Ｔ  Ｆ  Ｔａｄｒｏｓらによる「Emulsion Science and Technology」Wiley-VCH 2009 ISBN 3527325255に開示されている。本発明の方法に適切な界面活性剤の詳細な総説は、特許文献６（背景技術の項で既に引用）の第９頁６行〜第１４頁１０行にも見出すことができる。具体的には、アルコールアルコキシレート又は式（Ｖ）のアルコールフェノールアルコキシレート、及び、特許文献６の第１２頁１９行〜第１３頁１３行に開示された、それらの具体例に言及されている。
【０１１４】
一実施態様では、乳化剤は保護コロイドである。
【０１１５】
一実施態様では、保護コロイドは、５００〜１，０００，０００ｇ／モル、好ましくは１，０００〜５００，０００ｇ／モルの平均分子量を有する。
【０１１６】
一実施態様では、保護コロイドは、
ヒドロキシエチルセルロース、カルボキシメチルセルロース及びメチルセルロース等のセルロース誘導体、
ポリビニルピロリドン、
Ｎ−ビニルピロリドンのコポリマー、
ポリ酢酸ビニルの完全又は部分加水分解により得られるポリビニルアルコール、
ポリアクリル酸及び／又はポリメタクリル酸、
アクリル酸及びメタクリル酸のコポリマー、
スルホン酸基含有水溶性ポリマー（例えば、２−アクリルアミド−２−アルキルスルホン酸及びスチレンスルホン酸）等のイオン性コロイド、及び
それらの混合物
からなる群から独立して選択される。
【０１１７】
一実施態様では、１種以上の保護コロイドは、ポリ酢酸ビニルの完全又は部分加水分解により得られるポリビニルアルコールを含む。
【０１１８】
一実施態様では、１種以上の保護コロイドは、水中油型エマルションの水相の重量の０．１重量％〜１０重量％の量で存在する。
【０１１９】
一実施態様では、保護コロイドのそれぞれは水溶性保護コロイドである。好ましくは、コロイドが水中で少なくとも５ｇ／Ｌの水溶性を有することを意味する。
【０１２０】
重合は、通常はラジカルを形成する重合開始剤の存在下で起こる。ラジカルは、ペルオキシ化合物及びアゾ化合物等の化合物の熱分解により、又は、ＵＶ照射若しくはレドックス反応を用いる光分解により生成し得ることが知られている。本発明を実施するのに適切な開始剤は、エマルションの油相及び／又は水相に溶解することができる。
【０１２１】
一実施態様では、１種以上の重合開始剤は、
１種以上の熱重合開始剤、及び／又は
１種以上の光重合開始剤、及び／又は
１種以上のレドックス開始剤であって、各レドックス開始剤がラジカルを生成する還元剤／酸化剤の組み合わせ
を含む、レドックス開始剤である。
【０１２２】
一実施態様では、１種以上の重合開始剤は、１種以上の熱重合開始剤を、混合物中にモノマー（Ｉ）及び（ＩＩ）の総重量の０．１重量％〜５重量％の量で含む。
【０１２３】
一実施態様では、熱重合開始剤は、過酸化ジラウロイル、過酸化ベンゾイル、α，α’−アゾイソブチロニトリル、２，２’−アゾビス（２，４−ジメチルバレロニトリル）、ジメチル２，２’−アゾビス（２−メチルプロピオネート）、１，１’−アゾ−ビス−１−シクロヘキサンニトリル、ジ−ｔｅｒｔ−ブチルペルオキシド（ＣＡＳ登録番号：７５−９１−２）、過硫酸カリウム、過硫酸アンモニウム、４，４’−アゾビス（４−シアノバレリン酸）、２，２’−アゾビス［２−（２−イミダゾリン−２−イル）プロパン］ジヒドロクロリド、２，２’−アゾビス（２−メチルプロピオンアミド）ジヒドロクロリド、２，２’−アゾビス［２−（２−イミダゾリン−２−イル）プロパン］、２，２’−アゾビス［２−メチル−Ｎ−（２−ヒドロキシエチル）プロピオンアミド］及びそれらの混合物からなる群から選択される。
【０１２４】
一実施態様では、重合開始剤は、１種以上の光重合開始剤を、モノマー（Ｉ）及び（ＩＩ）の総重量の０．５重量％〜５重量％の量で含む。
【０１２５】
一実施態様では、光重合開始剤は、アルファヒドロキシケトン、アルファアミノケトン、アルファ及びベータナフチルカルボニル化合物、ベンゾインメチルエーテル等のベンゾインエーテル、ベンゾフェノン、アセトフェノン、ベンズアルデヒド、キサントン、９，１０−アントラキノン、１−ヒドロキシ−シクロヘキシル−フェニル−ケトン（Ｉｒｇａｃｕｒｅ（商標）１８４）及びそれらの混合物からなる群から選択される。
【０１２６】
一実施態様では、重合開始剤は、ラジカルを生成する還元剤／酸化剤の組み合わせにおいて、１種以上のレドックス開始剤を含み、
酸化剤は、混合物中にモノマー（Ｉ）及び（ＩＩ）の総重量の０．０１重量％〜３．０重量％、好ましくは０．０２重量％〜１．０重量％、更に好ましくは０．０５重量％〜０．５重量％の量で存在し、
還元剤は、混合物中にモノマー（Ｉ）及び（ＩＩ）の総重量の０．０１重量％〜３．０重量％、好ましくは０．０１重量％〜０．５重量％、更に好ましくは０．０２５重量％〜０．２５重量％の量で存在する。
【０１２７】
一実施態様では、レドックス開始剤は、
モノ過硫酸ナトリウム、過硫酸ナトリウム、過硫酸カリウム、過硫酸アンモニウム等のペルオキソ二硫酸塩、
クメンヒドロペルオキシド、
ｔｅｒｔ−ブチルヒドロペルオキシド、
ジ−ｔｅｒｔ−アミルペルオキシド
ｔｅｒｔ−ブチルペルオキシベンゾエート、
ｔ−アミルヒドロペルオキシド、及び
過酸化水素
からなる群から選択される１種以上の酸化剤を含む。
【０１２８】
一実施態様ではレドックス開始剤は、
亜硫酸ナトリウム、
メタ重亜硫酸ナトリウム、
ホルムアルデヒド・スルホキシル酸ナトリウム、
アスコルビン酸、及び
亜ジチオン酸ナトリウム
からなる群から選択される１種以上の還元剤を含む。
【０１２９】
本発明のマイクロカプセルは、その表面に（例えば、表面グラフトで）沈着補助剤、すなわち、マイクロカプセルの意図する基材への沈着を最適化することを目的とする補助剤を含んでいてもよい。マイクロカプセルにおける沈着補助剤の例及び使用は、例えば、欧州特許第２１５５８４７４号、欧州特許第１５７２７６７号、欧州特許第２１８８３６４号及び欧州特許第１０１９４７８号に開示されている。
【０１３０】
一実施態様では、沈着補助剤は高分子沈着補助剤を含む。高分子沈着補助剤の例は、合成又は天然のポリマーであっても、それらの組み合わせ（例えば、天然のポリマーの部分的化学修飾による）であってもよい。
【０１３１】
一実施態様では、沈着補助剤は、意図する基材への結合を可能にするペプチド、タンパク質又はそれらの化学的誘導体を含む。例えば、セルラーゼは綿に結合するが、プロテーゼは、羊毛、絹又は毛髪に結合する。
【０１３２】
一実施態様では、沈着補助剤は、多糖類又はその化学的誘導体を含む。多糖類は、好ましくは［ベータ］−１，４−結合骨格を含む。好ましくは、多糖類は、セルロース、セルロース誘導体、ポリマンナン、ポリグルカン、ポリグルコマンナン、ポリオキシグルカン及びポリガラクトマンナン等のセルロースと結合する他の［ベータ］−１，４−結合多糖類、又は、それらの混合物からなる群から選択される。更に好ましくは、多糖類は、ポリキシログルカン及びポリガラクトマンナンからなる群から選択される。非常に好ましい多糖類は、ローカストビーンガム、タマリンドガム、キシログルカン、非イオン性グア−ガム、カチオンでんぷん及びそれらの混合物から選択される。最も好ましくは、沈着補助剤は、ローカストビーンガム又はその化学的誘導体である。
【０１３３】
沈着補助剤は、予備形成された本発明のマイクロカプセルと結合することができ、又は重合製造方法において使用される物質の一部と結合することができる。沈着補助剤は、マイクロカプセルと、物理的及び／又は化学的に結合し得る。例えば、沈着補助剤は、共有結合、絡み合い又は吸着により、好ましくは共有結合又は絡み合いにより、最も好ましくは共有結合により粒子と結合する。
【０１３４】
本明細書で用いられる場合、絡み合いによりとは、沈着補助剤がマイクロカプセル内部に部分的に埋め込まれることを意味する。絡み合いは、例えば、重合が開始される前に、沈着補助剤をエマルションに添加することによって得られる。重合を伝搬させることにより、沈着剤の一部が捕捉され、伸長するポリマーと結合し、マイクロカプセルのシェルを形成し、残りの沈着剤はエマルションの水相に自由に広がっていく。このようにして、沈着剤は、一部のみがマイクロカプセル表面に露出する。
【０１３５】
本明細書で用いられる場合、吸着は、例えば、沈着補助剤とマイクロカプセルとの間の水素結合、ファン・デル・ワールス力又は静電気引力による、既に形成されたマイクロカプセルへの沈着剤の吸着（すなわち、物理的結合）を意味する。したがって、沈着補助剤はマイクロカプセルの外部にあり、シェル内部及び／又はマイクロカプセルコア内部には有意な程度で存在していない。
【０１３６】
好ましくは、沈着補助剤は、マイクロカプセルの乾燥重量の０．１重量％〜１０重量％の量で存在する。
【０１３７】
一態様では、本発明は、非可食性消費者製品、家庭用洗剤又は洗濯用製品、パーソナルケア製品及び化粧品からなる群から選択される、上記に定義したマイクロカプセルを含む製品に関する。
【０１３８】
特に明記しない限り、非可食は、ヒト又は動物によって摂取されないことを意味する。これには、通常の使用において偶然に飲み込まれることのある食品以外の製品が含まれる。特に、非可食製品の定義には、例えば、摂取することを意図していないが、偶然に消化管に入ることのある、練り歯磨き、マウスウォッシュ、リップクリーム等の、歯科及び口腔ケアのための製品が含まれる。
【０１３９】
本発明のマイクロカプセルを使用することのできる、液状の家庭用製品、洗濯用製品、パーソナルケア製品、及び化粧品の処方及び成分は当業者に周知であり、以下の実施を参照されたい：
・ＡＯＣＳ  Ｐｒｅｓｓにより発行された、Ｌ  Ｈ  Ｔａｎ  Ｔａｉによる、Formulating Detergents and Personal Care Products A guide to Product Development, ISBN 1-893997-10-3、
・Surfactant Science Series Liquid Detergents ISBN 0-8247- 9391-9の第６７巻（Ｍａｒｃｅｌ  Ｄｅｋｋｅｒ  Ｉｎｃ）、
・ＣＨＳ  ＰｒｅｓｓによるHarry’s Cosmeticology、第８版、2000 ISBN 0820603724。
【０１４０】
一実施態様では、本発明は、本明細書に定義されるマイクロカプセルを含む、パーソナルケア製品又は化粧品である製品に関する。前記製品は、皮膚、毛髪及び爪に適用することができ、そのままにしておくか洗い流すかいずれかである。パーソナルケア製品及び化粧品組成物としては、皮膚（顔、手、足等）用の粉末、クリーム、エマルション、ローション、ゲル及びオイル、毛髪染料基剤（液状及びペースト状）及び液体含浸ティッシュペーパー；顔及び目に化粧品を塗布し、除去するための製品；毛髪染料及び漂白剤、ウェーブ剤、くせ取り剤、毛髪をセットし、整える製品を含む、ヘアケア製品；クリーム、泡状ムース及び脱毛剤を含むシェービング用製品；日光浴製品、及び日光なしで日焼けするための製品；デオドラント及び制汗剤が挙げられる。
【０１４１】
一実施態様では、パーソナルケア製品又は化粧品は、シェービング補助剤、シャンプー、ヘアコンディショナー製品、つけたままにしておくスキンケア製品、皮膚洗浄剤、又は洗浄用製品（洗い流す皮膚洗浄剤又は洗浄用製品等）、湿潤させたティッシュペーパー及びボディスプレー、デオドラント又は制汗剤からなる群から選択される。
【０１４２】
シェービング補助剤としては、具体的には泡状、ゲル状、クリーム及び棒状のものが挙げられる（例えば、米国特許第７，０６９，６５８号、米国特許第６，９４４，９５２号、米国特許第６，５９４，９０４号、米国特許第６，１８２，３６５号、米国特許第６，１８５，８２２号、米国特許第６，２９８，５５８号及び米国特許第５，１１３，５８５号を参照することができる）。
【０１４３】
シャンプー及びヘアコンディショナーとしては、具体的には、リンスインシャンプー及び特に乾燥した髪又は脂っぽい髪用に処方されたシャンプー、ふけ防止剤等の添加剤を含むシャンプーが挙げられる。洗い流すヘアコンディショナー、又はつけたままにしておくヘアコンディショナーには、ヘアトニック、毛髪染料剤、毛髪をセットし整髪する製品も含まれる。例えば、米国特許第６，１６２，４２３号、米国特許第５，９６８，２８６号、米国特許第５，９３５，５６１号、米国特許第５，９３２，２０３号、米国特許第５，８３７，６６１号、米国特許第５，７７６，４４３号、米国特許第５，７５６，４３６号、米国特許第５，６６１，１１８号及び米国特許第５，６１８，５２３号を参照することができる。
【０１４４】
つけたままにしておくスキンケア製品には、皮膚洗浄用製品、湿潤させたティッシュペーパー、ボディスプレー、デオドラント及び制汗剤が含まれる。
【０１４５】
皮膚洗浄用製品としては、具体的には、美容用及び衛生用棒状石けん、シャワー用ゲル、液状せっけん、ボディウォッシュ、角質除去用ゲル及びペーストが挙げられる（例えば、米国特許第３，６９７，６４４号、米国特許第４，０６５，３９８号、米国特許第４，３８７，０４０号を参照することができる）。
【０１４６】
湿潤させたティッシュペーパー（拭き取り繊維）としては、具体的には、皮膚洗浄用繊維、赤ちゃん用おしり拭き、化粧品除去用繊維及び化粧水繊維が挙げられる（例えば、米国特許第４，７７５，５８２号、国際公開第０２／０７７０１号、国際公開第２００７／０６９２１４号及び国際公開第９５／１６４７４号を参照することができる）。
【０１４７】
ボディスプレー、デオドラント及び制汗剤としては、具体的には、スティック、液状のロールオン式アダプター、及び加圧式スプレーが挙げられる。
【０１４８】
一実施態様では、本発明は、家庭用洗剤又は洗濯用製品である、本明細書に定義されるマイクロカプセルを含む製品に関する。本発明のマイクロカプセルを含んでもよい家庭用洗剤又は洗濯用製品としては、
床、硬い工作物表面、タイル張りの表面、手又は機械で洗浄する陶器、鏡及びガラスの洗浄剤等の硬表面洗浄剤、
ファブリーズ（登録商標、Ｐ＆Ｇ）により例示される、臭気処理剤のような、液状洗浄剤及び芳香剤製品等の布地の室内装飾品を処理するもの、
軽質洗剤、重質洗剤、濃縮液体洗剤、非水又は低水（low aqueous）洗濯用液体洗剤、毛織物又は黒い衣服用に特化した洗浄剤を含む、粉末洗濯洗剤、洗浄用錠剤及び棒状洗浄剤、洗濯用液体洗剤、
回転式乾燥機シート、アイロンウォーター、洗浄剤添加剤）等の柔軟剤、洗浄前及び洗浄後用処理剤が挙げられる。
【０１４９】
好ましくは、家庭用洗浄剤又は洗濯用製品は、柔軟剤、仕上げ剤及び洗濯洗剤からなる群から選択される。
【０１５０】
家庭用洗浄剤は、クリーム状洗浄剤、等方性液状洗浄剤、スプレー状洗浄剤及び予め湿潤させた表面洗浄用繊維の形態であってもよい（例えば、国際公開第９１／０８２８３号、欧州特許第７４３２８０号、国際公開第９６／３４９３８号、国際公開第０１／２３５１０号、及び国際公開第９９／２８４２８号を参照することができる）。
【０１５１】
柔軟剤及び仕上げ剤としては、具体的には、従来の希釈された（例えば、２重量％〜８重量％）液状活性濃度柔軟剤及び濃縮された（例えば、１０重量％〜４０重量％）液状活性濃度柔軟剤、並びに、色落ちを防止し、又は衣類の形状及び外観を保護するための成分を含んでいてもよい仕上げ剤が挙げられる（例えば、米国特許第６，３３５，３１５号、米国特許第５，６７４，８３２号、米国特許第５，７５９，９９０号、米国特許第５，８７７，１４５号、米国特許第５，５７４，１７９号を参照することができる）。
【０１５２】
洗濯洗剤、特に液状洗濯洗剤としては、具体的には軽質液体洗剤及び重質液体洗剤が挙げられ、これらは、多層液体又は等方性液体を構築し、水性液体又は非水性液体を含んでいてもよい。前記液体洗剤は、ボトル、又は１回分の用量が入った袋に入っていてもよく、漂白剤又は酵素を含んでいてもよい（例えば、米国特許第５，９２９，０２２号、米国特許第５，９１６，８６２号、米国特許第５，７３１，２７８号、米国特許第５，４７０，５０７号、米国特許第５，４６６，８０２号、米国特許第５，４６０，７５２号及び米国特許第５，４５８，８１０号を参照することができる）。
【０１５３】
本発明の製品は、製品がエマルションである場合には乳化剤として、また製品がある種の洗浄機能を有している場合には洗浄活性物質として、水及び／又は界面活性物質を含んでいてもよい。特定の実施態様では、製品中の界面活性物質の濃度は０．１〜６０重量％の範囲内であり、通常、界面活性物質の濃度は５０重量％以下であり、ほとんどの製品では、界面活性物質は３０重量％以下である。一方、界面活性物質の濃度は、通常は少なくとも０．１重量％であり、好ましくは１．０重量％を超え、更に好ましくは３．０重量％を超える。特定の製品の製剤は水感受性（例えば、制汗剤、デオドラント、水溶性ポリビニルアルコールフィルム中に包装された非水性液体）であり、上記応用のためには、マイクロカプセルを製品製剤中に組み込む前に、水分を除去するためにマイクロカプセルを噴霧乾燥することが好ましい。洗浄機能を有する製品については、おそらく界面活性物質の濃度は高く、通常は１０重量％を超え、好ましくは１５重量％を超えるであろう。全ての割合は製品の重量に対する重量として表される。
【０１５４】
乳化剤を含む、リーブオン製品の例は、ハンドローション、ボディローション、化粧落としローション、スキンクリーム、日焼け防止製品、サンスクリーン製品及び家庭用芳香スプレーである。液体を含浸して製造した物品、例えば、化粧品を塗布若しくは除去するため、又は日焼け止め化合物若しくはサンスクリーン剤を塗布するためのローションを含浸したパッド又は繊維、あるいは個人用洗浄剤、例えば湿潤したトイレットペーパー又は赤ちゃん用おしり拭きも含まれる。
【０１５５】
洗浄剤を含む個人用洗浄用製品の例は、シャンプー、ボディソープ、液状石けんである。洗い流さないか、使用後に更なる洗浄作用がある場合に、洗浄のために使用されるとしても、一部の洗浄用製品は、つけたままの製品とみなすことができる。赤ちゃん用おしり拭きは、皮膚に塗布し洗浄のために使用される液体が洗い流して除去されないが、上記の例である。
【０１５６】
本明細書に開示された、ノンリンス型化粧品、洗面用化粧品、及びパーソナルケア用組成物は、製品のさまざまな成分を乳化するのに有用な種々の乳化剤を含んでもよい。適切な乳化剤としては、Ａｌｌｕｒｅｄ  Ｐｕｂｌｉｓｈｉｎｇ  Ｃｏｒｐｏｒａｔｉｏｎ  により発行されたMcCutcheon’s, Detergents and Emulsifiers, North American Edition（1986）、及び、下記特許文献、すなわち米国特許第５，０１１，６８１号、米国特許第４，４２１，７６９号及び米国特許第３，７５５，５６０号等の出版物に開示された、多種多様の非イオン性、カチオン性、アニオン性、両性イオン性表面活性物質が挙げられる。
【０１５７】
実験的証拠によれば、短鎖炭化水素アルコールを含む、セットローション、オードトワレ、ボディスプレーエアゾール、ヘアフォーム等の特定の製品の組成物は、本明細書に開示されるマイクロカプセルによりもたらされる利点を無効にする可能性があることがわかった。したがって、本発明のマイクロカプセルを含む製品は、かなりの量（例えば、製品重量の２．５重量％超、又は５重量％超、例えば、１０重量％超、２０重量％超、５０重量％超、又は７０重量％超）のＣ１〜Ｃ４アルコール等の短鎖脂肪族炭化水素アルコール（例えば、エタノール又はイソプロパノール）をも含まないことが好ましい。いかなる理論にも拘束されることを望まないが、短鎖炭化水素アルコールは、マイクロカプセルの統合性に影響し、その結果、香料内容物の漏出を促進すると考えられる。これにより、本明細書の以下の特定の実施例において、試験試料と対照試料との間の香料エバリュエータによって、なぜフレグランスの強度の顕著な相違が認められないかを説明することができる。
【０１５８】
液状の家庭用、洗濯用、パーソナルケア用及び化粧品用の製品中のマイクロカプセルの量は、所望のマイクロカプセル濃度、マイクロカプセル中のフレグランスの割合、所望の嗅覚効果を得るのに必要なフレグランス物質の量等のいくつかの特徴によって変化し得る。明示された製品から全ての液状成分を除去した後（すなわち、乾燥重量として測定）、本発明のマイクロカプセルは、製品の重量の０．０１〜１０重量％、好ましくは０．０５重量％〜２．５重量％、より好ましくは０．１〜１．２５重量％で存在し得る。マイクロカプセルは、従来のあらゆる手段により、通常は工程の適切な段階で、通常は高せん断混合段階の後に、分散液として組み込むことができる。
【０１５９】
上記液状製品は、本発明のマイクロカプセルを含む初期の水性分散液を使用することにより、円滑に製造することができる。したがって、この水性分散液（スラリーとも呼ばれる）は、前記液状製品に添加される濃縮液体として機能する。この工程は、スラリー成分の実質的な希釈を伴うので、マイクロカプセルは、最終製品の目標量よりも高い量をスラリー中に含んでいる。そのため、本発明のスラリーは、スラリーの重量の３０重量％以上（例えば、４０重量％、５０重量％又は６０重量％）までの量のマイクロカプセルを含んでいてもよい（ここで、割合は乾燥重量について上述したように計算する）。
【０１６０】
スラリーは、本発明のマイクロカプセルの貯蔵媒体としても都合良く使用することができる。マイクロカプセルを水性スラリーの形態で貯蔵するが最終製品に水が存在してはならない（又は水の量が制限されている）場合、スラリーを噴霧乾燥し、その後、噴霧乾燥したマイクロカプセルを最終製品に加えることができる。
【０１６１】
一実施態様では、本発明は、コア及び該コアを封入するポリマーシェルを含有するマイクロカプセルであって、前記コアが、乳化可能なフレグランスを含むコア材料を含有するマイクロカプセルからの漏出を低減するための、ジビニルベンゼン、トリビニルベンゼン、及び、多価の直鎖若しくは分枝鎖Ｃ２〜Ｃ２４のアルコール又は直鎖若しくは分枝鎖Ｃ２〜Ｃ２４のポリエチレングリコールに由来するメタクリル酸エステルからなる群から選択される１種以上のモノマーを含む、ポリエチレン性不飽和モノマーの使用に関する。
【０１６２】
一実施態様では、本発明は、本明細書に定義される使用に関し、モノマーはエチレングリコールジメタクリレートではない。
【０１６３】
一実施態様では、本発明は、本明細書に定義される使用に関し、マイクロカプセルは上記に定義したものである。
【０１６４】
一実施態様では、本発明は、本明細書に定義される使用に関し、マイクロカプセルは上記に定義した固形粉末組成物中に含まれる。
【０１６５】
一実施態様では、本発明は、本明細書に定義される使用に関し、マイクロカプセルは、上記に定義された製品に含まれる。
【０１６６】
本発明の更なる実施態様及び利点は、以下に示す実施例を考慮し、当業者に明らかになるであろう。
【実施例】
【０１６７】
［実施例］
（フレグランス物質番号１の組成物）                                  （重量％）
酢酸イソボルニル（ＣＡＳ登録番号１２５−１２−２）：                  ２５
合成カンフルガム粉末（ＣＡＳ登録番号４６４−４９−３）：              １５
リリアール（ＣＡＳ登録番号８０−５４−６）：                          １５
ユーカリプトール（ＣＡＳ登録番号４７０−８２−６）：                    ８
２−メチルペンタン酸エチル（ＣＡＳ登録番号３９２５５−３２−８）：      ６
セドロール（ＣＡＳ登録番号７７−５３−２）：                            ６
ヘプタン酸アリル（Allyl heptoate）（ＣＡＳ登録番号１４２−１９−８）：  ５
酢酸スチラリル（ＣＡＳ登録番号９３−９２−５）：                        ５
２−メチルウンデカナール（ＣＡＳ登録番号１１０−４１−８）：            ５
ベルテネックス（ＣＡＳ登録番号３２２１０−２３−４）：                  ５
クマリン（ＣＡＳ登録番号９１−６４−５）：                              ３
デルタ−ダマスコン（ＣＡＳ登録番号５７３７８−６８−４）：              ２
【０１６８】
フレグランス物質番号１は、７９％の嵩高い分子を含む。
【０１６９】
（フレグランス物質番号２の組成物）                                  （重量％）
ヘプタン酸アリル（ＣＡＳ登録番号１４２−１９−８）：                  １２
ベルドックス（ＣＡＳ登録番号８８−４１−５）：                        １２
リリアール（ＣＡＳ登録番号８０−５４−６）：                          １０
ガンマ−ウンデカラクトン（ＣＡＳ登録番号１０４−６７−６）：          １０
ヘキシルシンナムアルデヒド（ＣＡＳ登録番号１０１−８６−０）：        １０
エチレンブラシレート（ＣＡＳ登録番号１０５−９５−３）：              １０
酢酸ベンジル（ＣＡＳ登録番号１４０−１１−４）：                        ７
フェニルエチルアルコール（ＣＡＳ登録番号６０−１２−８）：              ６
２−メチルペンタン酸エチル（ＣＡＳ登録番号３９２５５−３２−８）：      ６
シクラメンアルデヒド（ＣＡＳ登録番号１０３−９５−７）：                ５
カンファー（ＣＡＳ登録番号７６−２２−２）：                            ３
酸化ジフェニル（ＣＡＳ登録番号１０１−８４−８）：                      ２
２−メチルウンデカナール（ＣＡＳ登録番号１１０−４１−８）：            ２
ヤラヤラ（ＣＡＳ登録番号９３−０４−９）：                              ２
【０１７０】
フレグランス物質番号２は、３９％の嵩高い分子を含む。
【０１７１】
（フレグランス物質番号３の組成物）                                  （重量％）
シクラセット（ＣＡＳ登録番号５４８３０−９９−８）：                  ２２
ベルドックス（ＣＡＳ登録番号８８−４１−５）：                        １５．５
ネロリンブロメリア（ＣＡＳ登録番号９３−１８−５）：                  １４．５
酢酸イソボルニル（ＣＡＳ登録番号１２５−１２−２）：                  １３．５
サリチル酸ベンジル（ＣＡＳ登録番号１１８−５８−１）：                １０．５
リリアール（ＣＡＳ登録番号８０−５４−６）：                            ７
フラクトン（ＣＡＳ登録番号６４１３−１０−１）：                        ４
酸化ジフェニル（ＣＡＳ登録番号１０１−８４−８）：                      ２．５
イソシクロシトラール（ＣＡＳ登録番号１３３５−６６−６）：              ２．５
合成カンフルガム粉末（ＣＡＳ登録番号４６４−４９−３）：                ２
ユーカリプトール（ＣＡＳ登録番号４７０−８２−６）：                    ２
フルイテート（ＣＡＳ登録番号８０６２３−０７−０）：                    １．５
２−メチルペンタン酸エチル（ＣＡＳ登録番号３９２５５−３２−８）：      １．５
デルタ−ダマスコン（ＣＡＳ登録番号５７３７８−６８−４）：              １
【０１７２】
フレグランス物質番号３は、９８．５％の嵩高い分子を含む。
【０１７３】
（濃縮柔軟剤組成物）                            （重量％）
プラエパゲンＴＱ（Praepagen TQ）９０％：          ２０．００
水：                                              ７９．８７
塩化マグネシウム六水和物９９％：                    ０．１３
ｐＨ＝２．５までクエン酸を加える。
【０１７４】
実施例１：本発明のカプセルの調製（試料１〜３）
８７〜８９％まで加水分解された、Ｍｗ＝８５０００〜１２４０００ｇ／モルのポリ（ビニルアルコール）４．０ｇを水１９６．０ｇに溶解し、水相を調製した。フレグランス物質番号１、２及び３をそれぞれ８５．０ｇ、１，４−ブタンジオールジメタクリレート１３．７ｇ、メタクリル酸１３．１ｇ、メタクリル酸メチル５．２ｇ及び過酸化ラウロイル０．９ｇを混合することにより、油相を調製した。過酸化ラウロイルが完全に溶解するまで、この混合物を撹拌した。
【０１７５】
水相及び油相を、コンデンサ、温度計、窒素注入口及び解膠ブレード（deflocculating blade、直径４ｃｍ）を備えた５００ｍＬのバッチ式反応器に入れた。全ての工程の間、混合物を９００ｒｐｍで撹拌し、酸素を排除するために混合物に窒素を吹き込んだ。まず、混合物を２０分間で室温から３５℃まで加熱し、３５℃に１時間維持した。次いで、得られたエマルションを、３０分間で７０℃まで加熱し、７０℃に４時間維持した。最後に、得られたマイクロカプセル分散液を１時間で室温まで冷却した。得られたマイクロカプセル分散液の平均粒径を、レーザー回折により測定した（体積中央径（Ｄ（ｖ，０．５））。
【０１７６】
結果：
【０１７７】
【表１】
0006405238.tif 000002
【０１７８】
実施例２（比較例）：架橋剤である１，４−ブタンジオールジアクリレートを使用したカプセルの調製（試料４及び５）
８７〜８９％まで加水分解された、Ｍｗ＝８５０００〜１２４０００ｇ／モルのポリ（ビニルアルコール）４．０ｇを水１９６．０ｇに溶解し、水相を調製した。フレグランス物質番号１及び２をそれぞれ８５．０ｇ、１，４−ブタンジオールジアクリレート１３．７ｇ、メタクリル酸１３．１ｇ、メタクリル酸メチル５．２ｇ及び過酸化ラウロイル０．９ｇを混合することにより、油相を調製した。過酸化ラウロイルが完全に溶解するまで、この混合物を撹拌した。
【０１７９】
水相及び油相を、コンデンサ、温度計、窒素注入口及び解膠ブレード（直径４ｃｍ）を備えた５００ｍＬのバッチ式反応器に入れた。全ての工程の間、混合物を９００ｒｐｍで撹拌し、酸素を排除するために混合物に窒素を吹き込んだ。まず、混合物を２０分間で室温から３５℃まで加熱し、３５℃に１時間維持した。次いで、得られたエマルションを、３０分間で７０℃まで加熱し、７０℃に４時間維持した。最後に、得られたマイクロカプセル分散液を１時間で室温まで冷却した。得られたマイクロカプセル分散液の平均粒径を、レーザー回折により測定した（体積中央径（Ｄ（ｖ，０．５））。
【０１８０】
結果：
【０１８１】
【表２】
0006405238.tif 000003
【０１８２】
実施例３（比較例）：架橋剤であるペンタエリスリトールトリアクリレートを使用したカプセルの調製（試料６）
８７〜８９％まで加水分解された、Ｍｗ＝８５０００〜１２４０００ｇ／モルのポリ（ビニルアルコール）４．０ｇを水１９６．０ｇに溶解し、水相を調製した。フレグランス物質番号１、２又は３をそれぞれ８５．０ｇ、ペンタエリスリトールトリアクリレート１３．７ｇ、メタクリル酸１３．１ｇ、メタクリル酸メチル５．２ｇ、及び過酸化ラウロイル０．９ｇを混合することにより、油相を調製した。過酸化ラウロイルが完全に溶解するまで、この混合物を撹拌した。
【０１８３】
水相及び油相を、コンデンサ、温度計、窒素注入口及び解膠ブレード（直径４ｃｍ）を備えた５００ｍＬのバッチ式反応器に入れた。全ての工程の間、混合物を９００ｒｐｍで撹拌し、酸素を排除するために混合物に窒素を吹き込んだ。まず、混合物を２０分間で室温から３５℃まで加熱し、３５℃に１時間維持した。次いで、得られたエマルションを、３０分間で７０℃まで加熱し、７０℃に４時間維持した。最後に、得られたマイクロカプセル分散液を１時間で室温まで冷却した。得られたマイクロカプセル分散液は、３８．７μｍの平均粒径を有していた（レーザー回折により測定した体積中央径（Ｄ（ｖ，０．５））。
【０１８４】
実施例４（比較例）：２種の架橋剤として１，４−ブタンジオールジアクリレート及びペンタエリスリトールトリアクリレートを使用したカプセルの調製（試料７）
８７〜８９％まで加水分解された、Ｍｗ＝８５０００〜１２４０００ｇ／モルのポリ（ビニルアルコール）４．０ｇを水１９６．０ｇに溶解し、水相を調製した。フレグランス物質番号１、２又は３をそれぞれ８５．０ｇ、１，４−ブタンジオールジアクリレート１０．３ｇ、ペンタエリスリトールトリアクリレート３．４ｇ、メタクリル酸１３．１ｇ、メタクリル酸メチル５．２ｇ及び過酸化ラウロイル０．９ｇを混合することにより、油相を調製した。過酸化ラウロイルが完全に溶解するまで、この混合物を撹拌した。
【０１８５】
水相及び油相を、コンデンサ、温度計、窒素注入口及び解膠ブレード（直径４ｃｍ）を備えた５００ｍＬのバッチ式反応器に入れた。全ての工程の間、混合物を９００ｒｐｍで撹拌し、酸素を排除するために混合物に窒素を吹き込んだ。まず、混合物を２０分間で室温から３５℃まで加熱し、３５℃に１時間維持した。次いで、得られたエマルションを、３０分間で７０℃まで加熱し、７０℃に４時間維持した。最後に、得られたマイクロカプセル分散液を１時間で室温まで冷却した。得られたマイクロカプセル分散液は、３８．９μｍの平均粒径を有していた（レーザー回折により測定した体積中央径（Ｄ（ｖ，０．５））。
【０１８６】
実施例５（比較例）：本発明のカプセルよりも粒径の小さいカプセルの調製（試料８）
８７〜８９％まで加水分解された、Ｍｗ＝８５０００〜１２４０００ｇ／モルのポリ（ビニルアルコール）４．０ｇを水１９６．０ｇに溶解し、水相を調製した。フレグランス物質番号１、２又は３をそれぞれ８５．０ｇ、１，４−ブタンジオールジメタクリレート１３．７ｇ、メタクリル酸１３．１ｇ、メタクリル酸メチル５．２ｇ及び過酸化ラウロイル０．９ｇを混合することにより、油相を調製した。過酸化ラウロイルが完全に溶解するまで、この混合物を撹拌した。
【０１８７】
水相及び油相を、氷水浴中に設置した１Ｌのビーカーに注ぎ入れ、高速攪拌機（Dispermix、laboratory series X10、Ystral）を用い、７０００ｒｐｍで２分間、乳化させた。この段階で、エマルションは、２．４μｍの平均粒径を有していた（レーザー解析により測定した体積中央径（Ｄ（ｖ，０．５））。次いで、エマルションを、コンデンサ、温度計、窒素注入口及び解膠ブレード（直径４ｃｍ）を備えた５００ｍＬのバッチ式反応器に移した。全ての工程の間、混合物を９００ｒｐｍで撹拌し、酸素を排除するために混合物に窒素を吹き込んだ。まず、混合物を２０分間で室温から３５℃まで加熱し、３５℃に１時間維持した。次いで、得られたエマルションを、３０分間で７０℃まで加熱し、７０℃に４時間維持した。最後に、得られたマイクロカプセル分散液を１時間で室温まで冷却した。得られたマイクロカプセル分散液は、２．９μｍの平均粒径を有していた（レーザー回折により測定した体積中央径（Ｄ（ｖ，０．５））。
【０１８８】
実施例６：柔軟剤の保存中におけるフレグランスの漏出
柔軟剤中で放出されるフレグランスを、溶媒で抽出し、ガスクロマトグラフィーにより解析して測定した。フレグランスの漏出は、カプセル化されたフレグランスに対する柔軟剤中で放出したフレグランスの割合である。
【０１８９】
方法の詳細
手順：
スラリー分散液０．５ｗ／ｗ％及び濃縮柔軟剤９９．５ｗ／ｗ％を含む混合物を、オーブン中のガラス瓶の中に、４０℃の調節した温度で１／２／４／６週間貯蔵した。各貯蔵時間後、混合物を振盪し、１０ｇを取り出した。この試料を遠心分離し、カプセルから柔軟剤を分離した。遠心分離した柔軟剤１ｇを、セライト１ｇと混合し、ペンタン５４５．５ｍＬ及び内部標準液５０μＬを加えた。混合物をローラーコンベア上で１時間混合した。次いで、上清をＧＣ／ＦＩＤ（フレームイオン化検出器を用いたガスクロマトグラフィー装置）に注入した。積分面積は、Ａｇｉｌｅｎｔ  Ｃｈｅｍｓｔａｔｉｏｎソフトウェアを用い、ＦＩＤシグナルから決定した。各抽出物について３回分析した。内部標準液は、１０ｍｇ／ｍL濃度の、デカン酸メチルのヘキサン溶液であった。
【０１９０】
器具類：
Ｃｈｅｍｓｔａｔｉｏｎソフトウェアと接続したＡｇｉｌｅｎｔ  ６８９０  ＧＣ
カラム：ＨＰ−５ＭＳ、３０ｍ×０．２５ｍｍ×０．２５μｍ
オーブンの温度：５０℃で２分間、その後、１０℃／分で２８０℃まで加熱し、２８０℃に５分間維持
インジェクター：２５０℃、検出器：２５０℃
注入容量２μＬ（スプリットレス）
【０１９１】
計算：
試料中の漏出したフレグランス成分の重量の測定：
【０１９２】
【数１】
0006405238.tif 000004
【０１９３】
Ｗｐｅｒｆ，ｉ：漏出したフレグランス成分ｉの重量（ｍｇ）
Ａｐｅｒｆ，ｉ：フレグランス成分ｉの面積
ＷＩＳ：内部標準の重量（ｍｇ）
ＡＩＳ：内部標準の面積
【０１９４】
試料中の漏出したフレグランスの重量の測定：
【０１９５】
【数２】
0006405238.tif 000005
【０１９６】
Ｗｆｒａｇ：漏出したフレグランスの重量（ｍｇ）
【０１９７】
試料中に漏出した全てのフレグランスの理論的重量の測定：
【０１９８】
【数３】
0006405238.tif 000006
【０１９９】
Ｗｆｒａｇ−ｔｈｅｏ：試料中に漏出した全てのフレグランスの理論的重量（ｍｇ）
％ｆｒａｇ  ｓｌｕｒｒｙ：スラリー中のフレグランスの割合
％ｓｌｕｒｒｙ：柔軟剤中のスラリーの割合
Ｗｓｏｆｔｅｎｅｒ：抽出された柔軟剤の重量（ｍｇ）
【０２００】
試料中の全ての漏出中のフレグランス成分ｉの理論的重量の測定：
【０２０１】
【数４】
0006405238.tif 000007
【０２０２】
Ｗｐｅｒｆ−ｔｈｅｏ：試料中の全ての漏出中のフレグランス成分ｉの理論的重量（ｍｇ）
％ｓｌｕｒｒｙ：柔軟剤中のスラリーの割合
％ｐｅｒｆ，ｉ：フレグランス中のフレグランス成分ｉの割合
【０２０３】
フレグランス漏出の割合の測定：
【０２０４】
【数５】
0006405238.tif 000008
【０２０５】
％ｌｅａｋａｇｅｆｒａｇ：フレグランス漏出の割合
【０２０６】
フレグランス成分ｉの漏出の割合の測定：
【０２０７】
【数６】
0006405238.tif 000009
【０２０８】
％ｌｅａｋａｇｅｐｅｒｆ：フレグランス成分ｉの漏出割合：
【０２０９】
結果：
【０２１０】
【表３】
0006405238.tif 000010
【０２１１】
【表４】
0006405238.tif 000011
【０２１２】
本発明のカプセル（試料１及び２）は、他のカプセルと比較し、漏出が低減していることは明らかである。
【０２１３】
【表５】
0006405238.tif 000012
【０２１４】
本発明の嵩高い分子（酢酸イソボルニル及びベルドックス）は、他の分子（エチル−２−メチルペンタノエート及びアリルヘプトエート）と比較し、漏出が低減していることは明らかである。
【０２１５】
実施例７：柔軟剤に使用した時のカプセルの嗅覚性能
カプセルを含む柔軟剤製剤の調製：
スラリー分散液０．５ｗ／ｗ％及び前記濃縮柔軟剤９９．５ｗ／ｗ％を含む混合物を調製した。この混合物を、規定時間４０℃に貯蔵した。
【０２１６】
洗浄法：
香料の入っていない液体洗剤を用いて９０℃、１６°ｄＨで下洗いした綿のタオル地のミトン（Mitt）及びタオルを、Ｍｉｅｌｅ洗濯機に入れた。総荷重は２．０ｋｇであった。洗浄サイクルを４０℃で行った（脱水：９００ｒｐｍ）。すすぎ工程中に柔軟剤製剤４０ｍＬを加えた。綿の手袋を室温条件で２４時間乾燥した。その後、両手を拭き取った前後に、感覚的な手段で、ブラインド実験として嗅覚効果を評価した。０（顕著な香りなし）〜５（非常に強い香り）のスコアを付与した。
【０２１７】
結果：
【０２１８】
【表６】
0006405238.tif 000013
【０２１９】
実施例７の結果より、本発明のマイクロカプセルが持続性の嗅覚性能を備えていることが明らかである。漏出の低減により、４又は６週間後にも顕著な香りを感じることができた。試料２及び試料７の比較は、両方の試料が同じフレグランス物質（物質番号２）を含み、両方の試料が最初に同じ香りの感覚をもたらすので、本発明の優位性を示すのに特に有意義である。試料４、５及び６により得られたスコアは有意義でない。可能な説明としては、これらの試料では、マイクロカプセルシェルが、他の試料のシェルよりも破壊するのに厚いか硬く、そのため拭き取った後に劣った香り感覚をもたらしたということである。
【０２２０】
実施例８：四角い繊維（fabric squares)におけるカプセルの可視性の試験
本試験のために、下記の平均カプセル径：すなわち５．７、１０．４、１９．９、３１．８、３８．３及び５９．６μｍ（上記光散乱法により測定）を有するスラリー分散液を調製した。脱イオン水中にカプセルを０．４重量％含む分散液を調製した。下記２種の異なる黒い平面状のシート状繊維の全表面（１０×１２ｃｍ）に上記分散液約１．３ｇを噴霧した。
・Ｒｅａｃｔｉｖｅ  Ｂｌａｃｋ  ５染料（繊維の６重量％の染料）で着色した綿メリヤス（knitted cotton）
・黒い綿デニム（Ｌｅｖｉ（登録商標）５０１）
噴霧後、四角い繊維を室温で２０分間かけて乾燥させた。四角い繊維の外観検査を、色彩観察用ブース（標準的昼光光源Ｄ６５）内で３人の人によってブラインド実験として別個に実施した。処理していない四角い繊維をブランク試料として用いた。平均カプセル径が５９．６μｍのマイクロカプセルの場合にのみ、生地上の残留物がはっきりと見えた。
【０２２１】
パーソナルケア製品及び化粧品の実施例
塗布の際及び長い時間の間に、試料１（実施例１で得られる）のマイクロカプセル分散液がフレグランスを放出する能力（増幅効果及び持続効果）は、同じ濃度で遊離状のフレグランスを含む組成物と比較し、使用時に発するフレグランスの匂いの強度、又は、カプセル分散液を含む種々のパーソナルケア組成物を塗布した毛髪若しくは皮膚に保持されるフレグランスの匂いの強度を評価することによって決定した。匂いの強度は、２名の訓練を受けたフレグランスエバリュエータにより評価した。ＩＮＣＩ＝化粧品成分の国際命名法。
【０２２２】
実施例９：カプセルを含むシャワー用ゲルの調製及び評価
表１の処方を有するシャワーゲル基剤４９．５ｇに、カプセルスラリー０．５ｇを加えることにより、カプセル試料１を含む試験試料を調製した。光学顕微鏡法により観察されるように、カプセルは基剤中に均質に分布していた。同一のシャワー用ゲル４９．８６７ｇに、遊離状のフレグランス物質番号１（フレグランス物質番号１はカプセルスラリー試料１で使用されたフレグランスであり、該カプセルスラリーはこのフレグランスを２７％含む）０．１３３ｇを混合することにより、対照試料を作製した。各試料を室温に２４時間放置し、試験直前に十分に混合した。
【０２２３】
【表７】
0006405238.tif 000014
【０２２４】
試験法：パネリストは、３７℃の流水（水道水）により５秒間、彼／彼女の両手を湿らせ、シャワー用ゲル１．５ｍＬをシリンジによって両手に塗布した。パネリストは自分の両手を洗浄し、３７℃の水道水で１５秒間すすぎ、ペーパータオルで過剰の水を拭き取った。２名の訓練を受けた香料エバリュエータが匂いの強度を評価した。３時間後、皮膚を軽くこすり、香気の強度を再度評価した。
【０２２５】
遊離状のフレグランスを含む対照試料に対する、試料を含むカプセルの評価を比較した。洗浄の際には強度に有意な差はなかった。しかし、乾燥の３時間後に皮膚をこすった時には、試料を含むカプセルにおいてフレグランスは、より強力であった。
【０２２６】
実施例１０：カプセルを含む、リーブオンヘアコンディショナーの調製及び評価
表２の処方を有するリーブオンヘアコンディショナー基剤４９．５ｇに、カプセルスラリー０．５ｇを加えることにより、カプセル試料１を含む試験試料を調製した。光学顕微鏡法により観察したように、カプセルは基剤中に均質に分布していた。同一のコンディショナー基剤４９．８６７ｇに、遊離状のフレグランス物質番号１（フレグランス物質番号１はカプセルスラリー試料１で使用されたフレグランスであり、該カプセルスラリーはこのフレグランスを２７％含む）０．１３３ｇを混合することにより、対照試料を作製した。各試料を室温に２４時間放置し、試験直前に十分に混合した。
【０２２７】
【表８】
0006405238.tif 000015
【０２２８】
約１０ｇの重量の毛髪見本をくしで梳き、水（３００ｍＬ、３７℃）に１５秒間浸した。スクイージーとして作用する２本の指を介して毛髪見本を２回引くことにより過剰の水を除去した。リーブオンコンディショナー０．４ｍＬを、湿らせた毛髪見本にシリンジで塗布した。リーブオンコンディショナーを用いて、毛髪見本を手で３０秒間マッサージし、２名の訓練を受けた香料エバリュエータにより香気の強度を評価した。次いで、試料をフレームからつり下げ、室温で３時間空気乾燥させた。３時間後、毛髪を乾燥し、香気の強度を評価した。その後、見本をくしで３回梳き、強度を再度評価した。室温で２４時間つり下げた後、同じ見本について、２名の訓練を受けた香料エバリュエータにより、くしで梳す前後に再度評価した。カプセル分散液を含むリーブオンコンディショナー試料で処理した毛髪見本を、遊離のフレグランスを含む対照試料と比較した。
【０２２９】
カプセルを含むコンディショナーの使用時の方が、香気は強力であった。試料をすすいだ３及び２４時間後に毛髪をくしで梳した時も、カプセル分散液を含む試料は強力な香気が得られた。これらの効果は、４５℃で２、４及び８週間貯蔵した試料でもなお繰り返され、カプセルが香料を保持していることが示された。
【０２３０】
実施例１１：カプセルを含む固形タイプのデオドラントの調製及び評価
表３の処方を有する固形タイプのデオドラント基剤４９．５ｇに、カプセルスラリー０．５ｇを加えることにより、カプセル試料１を含む試験試料を調製した。光学顕微鏡法により観察されるように、カプセルは基剤中に均質に分布していた。同一の固形タイプのデオドラント基剤４９．８６７ｇに、遊離状のフレグランス物質番号１の０．１３３ｇを混合することにより、対照試料を作製した。各試料を室温に２４時間放置し、試験直前に十分に混合した。
【０２３１】
【表９】
0006405238.tif 000016
【０２３２】
試験法：セルロース製フレグランス吸い取り紙に各固形タイプのデオドラント０．３グラムを塗布し、吸い取り紙を試験室内における環境条件下で３時間かけて空気乾燥した。吸い取り紙をこすり合わせる前後で、２名の訓練を受けた香料エバリュエータにより、香気の強度を評価した。こすり合わせた後、対照試料と比較し、カプセル分散液を含む試料で処理した吸い取り紙には著しく強力な香気があった。４５℃で２週間及び４週間貯蔵した試料についても実験を繰り返すと、カプセルを含む試料に、より強力な香気が付与されていた。
【０２３３】
実施例１２：カプセルを含むロールオン式デオドラントの調製及び評価
表４の処方を有するロールオン式デオドラント基剤４９．５ｇに、カプセルスラリー０．５ｇを加えることにより、カプセル試料１を含む試験試料を調製した。光学顕微鏡法により観察されるように、カプセルは基剤中に均質に分布していた。同一のロールオン式デオドラント基剤４９．８６７ｇに、遊離状のフレグランス物質番号１の０．１３３ｇを混合することにより、対照試料を作製した。各試料を室温に２４時間放置し、試験直前に十分に混合した。
【０２３４】
【表１０】
0006405238.tif 000017
【０２３５】
試験法：セルロース製吸い取り紙にロールオン式デオドラント０．３グラムを塗布し、吸い取り紙を３時間空気乾燥した。塗布１０分後（吸い取り紙が、まだわずかに湿っている時）、及び３時間後に（吸い取り紙が全体として乾燥した時）、吸い取り紙をこすり合わせる前後で、２名の訓練を受けた香料エバリュエータにより、香気の強度を評価した。
【０２３６】
全ての評価ポイントで対照試料と比較し、カプセル分散液を含む試験試料については、著しく強力な香気があった。４５℃で２週間、４週間及び８週間貯蔵したロールオン式デオドラントを用いて実験を繰り返すと、カプセルを含む製品について３時間乾燥後に、より強力な香気が示された。
【０２３７】
実施例１３：カプセル含有エアゾール式制汗剤／デオドラントの調製及び評価
表５の処方を有するエアゾール式デオドラント基剤４９．５ｇに、カプセルスラリー０．５ｇを加えることにより、カプセル試料１を含む試験試料を調製した。カプセルは基剤中に均質に分布していた。同一のエアゾール式デオドラント基剤４９．８６７ｇに、遊離状のフレグランス物質番号１の０．１３３ｇを混合することにより、対照試料を作製した。試料を室温に２４時間放置し、試験直前に十分に混合した。
【０２３８】
【表１１】
0006405238.tif 000018
【０２３９】
試験法：エアゾール式制汗剤を吸い取り紙に２回噴霧し、製品約０．２ｇを被覆し、吸い取り紙を環境大気中で２分間乾燥させた。吸い取り紙をこすり合わせる前後で、２名の訓練を受けた香料エバリュエータにより、香気の強度を評価した。
【０２４０】
こすり合わせた後で対照試料と比較し、カプセル分散液を含む試験試料については、著しく強力な香気があった。４５℃で２週間貯蔵した製品の試料を用いて実験を繰り返すと、こすり合わせた後にカプセルを含む製品について、より強力な香気が示された。
【０２４１】
実施例１４：カプセル含有ボディローションの調製及び評価
表６の処方を有するボディローション基剤４９．７５ｇに、カプセルスラリー０．２５ｇを加えることにより、カプセル試料１を含む試験試料を調製した。光学顕微鏡法により観察されるように、カプセルは基剤中に均質に分布していた。同一のボディローション基剤４９．９３３ｇに、遊離状のフレグランス物質番号１の０．０６７ｇを混合することにより、対照試料を作製した。試料を室温に２４時間放置し、試験直前に十分に混合した。
【０２４２】
【表１２】
0006405238.tif 000019
【０２４３】
試験法：ボディローション０．２ｍＬを、シリンジで手の甲に塗布し、１０秒間広げた。次いで、塗布の３時間後に皮膚を軽くこすり合わせた。使用時並びに皮膚をこすり合わせた前後に、２名の訓練を受けた香料エバリュエータにより香気の強度を評価した。カプセル分散液を含有するボディローション試料で皮膚領域を処置し、遊離のフレグランスを含む対照試料と比較した。
【０２４４】
対照試料と比較し、カプセル分散液を含有する試料には著しい利点があった。カプセル分散液を含有する試料については使用時及び塗布３時間後の両方でこすり合わせた後に匂い強度が高かった。４５℃で２週間、４週間及び８週間貯蔵した製品の試料についても実験を繰り返すと、カプセルを含有する製品について、両方の評価時点でこすり合わせた後に著しい匂いの増加が示された。
【０２４５】
実施例１５：カプセル含有化粧落としの調製及び評価
表７の処方を有する化粧落とし基剤４９．５ｇに、カプセルスラリー０．５ｇを加えることにより、カプセル試料１を含む試験試料を調製した。光学顕微鏡法により観察されるように、カプセルは基剤中に均質に分布していた。同一の化粧落とし基剤４９．８６７ｇに、遊離状のフレグランス物質番号１の０．１３３ｇを混合することにより、対照試料を作製した。試料を室温に２４時間放置し、試験直前に十分に混合した。
【０２４６】
【表１３】
0006405238.tif 000020
【０２４７】
試験法：化粧落とし２ｍＬを、ピペットでコットンディスク（cotton disc）に塗布した。コットンディスクに含まれる製品により、ボランティアの手の甲を１０秒間拭いた。その時点で、２名の訓練を受けた香料エバリュエータにより、香気の強度を評価した。塗布の３時間後、処置した領域について、上記の香気の強度をエバリュエータにより再度評価し、その後、皮膚を軽くこすり合わせ、香気の強度を再評価した。
【０２４８】
塗布時及び塗布の３時間後に皮膚をこすり合わせた時の両方で、対照試料と比較し、カプセル分散液を含む試験試料については、著しく強力な香気があった。４５℃で２週間保存した製品の試料を用いて実験を繰り返すと、カプセル含有製品について、両方の評価時点で、この場合も強力な香気が示された。
【０２４９】
実施例１６：カプセル含有日焼け止めローションの調製及び評価
表８の処方を有する日焼け止めローション基剤４９．５ｇに、カプセルスラリー０．５ｇを加えることにより、カプセル試料１を含む試験試料を調製した。光学顕微鏡法により観察されるように、カプセルは基剤中に均質に分布していた。同一の日焼け止めローション基剤４９．８６７ｇに、遊離状のフレグランス物質番号１の０．１３３ｇを混合することにより、対照試料を作製した。試料を室温に２４時間放置し、試験直前に十分に混合した。
【０２５０】
【表１４】
0006405238.tif 000021
【０２５１】
試験法：日焼け止め約０．４グラムを１０ｃｍの距離から、ボランティアの手の甲に噴霧し、１０秒間広げた。塗布の３時間後、処置した上記領域の香気の強度を、２名の訓練を受けた香料エバリュエータにより評価し、その後、皮膚を軽くこすり合わせ、香気の強度を再評価した。
【０２５２】
塗布の３時間後に皮膚をこすり合わせた時、対照試料と比較し、カプセル分散液を含む試験試料については、著しく強力な香気があった。
【０２５３】
実施例１７：カプセルを含むセットローションの調製及び評価
表９の処方を有する毛髪セットローション基剤４９．５ｇに、カプセルスラリー０．５ｇを加えることにより、カプセル試料１を含む試験試料を調製した。光学顕微鏡法により観察されるように、カプセルは基剤中に均質に分布しており、基剤は、その後濁った。同一のセットローション４９．８６７ｇに、遊離状のフレグランス物質番号１の０．１３３ｇを混合することにより、対照試料を作製した。試料を室温に２４時間放置し、試験直前に十分に混合した。
【０２５４】
【表１５】
0006405238.tif 000022
【０２５５】
試験法：各セットローション試料約２．４グラムを、１０ｃｍの距離から、湿らせた毛髪見本に噴霧した。毛髪見本を、セットローションを用いて、それぞれ３０秒間手で軽くこすり合わせ（両側で１５秒ずつ）、その後空気乾燥した。塗布の３時間及び２４時間後、毛髪見本をくしで３回梳いた。使用時、並びに３時間後及び２４時間後にくしで梳いた後、２名の訓練を受けた香料エバリュエータにより、香気の強度を評価した。
【０２５６】
使用時、並びに３時間後及び２４時間後に毛髪をくしで梳いた時点で、対照試料と比較し、カプセル分散液を含む試験試料については、著しく強力な香気があった。４５℃で２週間及び４週間貯蔵した製品の試料について実験を繰り返した場合にも、処置の３時間後及び２４時間後にくしで梳いた後に強力な香気が示された。
【０２５７】
実施例１８：カプセルを含む整髪用ジェルの調製及び評価
表１０の処方を有する整髪用ジェル基剤４９．５ｇに、カプセルスラリー０．２５ｇを加え、水を加えて５０ｇにすることにより、カプセル試料１を含む試験試料を調製した。光学顕微鏡法により観察されるように、カプセルは基剤中に均質に分布しており、基剤は、その後濁った。同一の整髪用ジェル基剤４９．９３３ｇに、遊離状のフレグランス物質番号１の０．０６７ｇを混合することにより、対照試料を作製した。試料を室温に２４時間放置し、試験直前に十分に混合した。
【０２５８】
【表１６】
0006405238.tif 000023
【０２５９】
試験法：湿らせた毛髪見本に、整髪用ジェル２．４ｍＬをシリンジで塗布した。整髪用ジェルを用いて、毛髪見本を手で、それぞれ２０秒間伸ばし（両側で１０秒ずつ）、その後空気乾燥した。塗布の３時間後及び２４時間後、くしで梳く前後に、２名の訓練を受けた香料エバリュエータにより、香気の強度を評価した。毛髪見本は、カプセル分散液を含む整髪用ジェル試料で処理し、遊離状の香気を含む対照試料と比較した。
【０２６０】
塗布３時間後及び塗布２４時間後にくしで梳いた後、カプセル分散液を含む試料については、対照試料と比較し、香気はより強力であった。４５℃で２、４及び８週間貯蔵した製品の試料について実験を繰り返すと、この場合も、カプセルを含有する製品については、３及び２４時間の時点でくしで梳いた後い、強力な香気が示された。
【０２６１】
実施例１９：カプセルを含有するシャンプーの調製及び評価
表１１の処方を有するシャンプー基剤４９．５ｇに、カプセルスラリー０．５ｇを加えることにより、カプセル試料１を含む試験試料を調製した。光学顕微鏡法により観察されるように、カプセルは基剤中に均質に分布していた。同一のシャンプー基剤４９．８６７ｇに、遊離状のフレグランス物質番号１の０．１３３ｇを混合することにより、対照試料を作製した。試料を室温に２４時間放置し、試験直前に十分に混合した。
【０２６２】
【表１７】
0006405238.tif 000024
【０２６３】
試験法：湿らせた毛髪見本に、シャンプー２ｍＬをシリンジで塗布した。毛髪見本を、それぞれ手で６０秒間こすり合わせ、次いで、毛髪見本を操作せず固定式シャワーリンスを用い、３７℃で、６０秒間すすいだ。その後、毛髪見本を空気乾燥し、塗布の３時間及び２４時間後にくしで３回梳いた。湿っている使用時、並びに乾燥し３時間及び２４時間後にくしで梳いた前後に２名の訓練を受けた香料エバリュエータにより香気の強度を評価した。
【０２６４】
乾燥した場合、処置の３及び２４時間後に毛髪をくしで梳くと、香気は強力であった。
【０２６５】
実施例２０：アルコールを含む、カプセル含有セットローションの調製及び評価
カプセル試料１を含む分散液を、０．５重量％の濃度で、以下の処方によるアルコール性セットローション（表１２）に混合した。カプセルは基剤中に均質に分布しており、その後濁った。試料を室温に２４時間放置した。
【０２６６】
表１２の処方を有するアルコール性ヘアセッティングローション４９．５ｇに、カプセルスラリー０．５ｇを加えることにより、カプセル試料１を含む試験試料を調製した。光学顕微鏡法により観察されるように、カプセルは基剤中に均質に分布していた。同一のヘアセッティング４９．８６７ｇに、遊離状のフレグランス物質番号１の０．１３３ｇを混合することにより、対照試料を作製した。試料を室温に２４時間放置し、試験直前に十分に混合した。
【０２６７】
【表１８】
0006405238.tif 000025
【０２６８】
試験法：カプセル分散液を含むアルコール性セッティングローション約２．４グラムを、１０ｃｍの距離から湿らせた毛髪見本に噴霧した。毛髪見本を、手でそれぞれ３０秒間軽くこすり、その後室温で空気乾燥した。対照試料で処置した毛髪試料を同様に処置した。塗布の３時間及び２４時間後に、２名の訓練を受けた香料エバリュエータにより毛髪見本を評価し、３回くしで梳き、再度評価した。
【０２６９】
いずれの評価時点でも、試験試料と対照試料との間に香気の強度に差はなかった。
【０２７０】
実施例２１：カプセルを含むオードトワレの調製及び評価
表１３Ａの処方に従い、カプセル試料１を含むオードトワレ試験試料を調製した。光学顕微鏡法により観察されるように、カプセルは基剤中に均質に分布しており、基剤はその後濁った。表１３Ｂの処方に従い、比較対照試料を作製した。各試料を室温に２４時間放置し、試験直前に十分に混合した。
【０２７１】
【表１９】
0006405238.tif 000026
【０２７２】
【表２０】
0006405238.tif 000027
【０２７３】
試験法：カプセルを含むオードトワレ約０．３グラムを、ドラフト内で１０ｃｍの距離からフレグランス吸い取り紙に噴霧した。対照試料ＥｄＴの吸い取り紙を同様にして調製した。２分後、別の場所で、２名の訓練を受けたエバリュエータにより吸い取り紙の香気の強度が評価された。その後、吸い取り紙を軽くこすり合わせ、香気の強度を再度評価した。
【０２７４】
試験試料と対照との間に香気の強度に差はなかった。
【０２７５】
実施例２２：カプセルを含むエアゾールボディスプレーの調製及び評価
表１４の処方を有するボディスプレー基剤４９．５ｇに、カプセルスラリー０．５ｇを加えることにより、カプセル試料１を含む試験試料を調製した。カプセルは基剤中に均質に分布していた。同一のボディスプレー基剤４９．８６７ｇに、遊離状のフレグランス物質番号１の０．１３３ｇを混合することにより、対照試料を作製した。試料を室温に２４時間放置し、試験直前に十分に混合した。
【０２７６】
【表２１】
0006405238.tif 000028
【０２７７】
試験法：カプセル分散液を含むボディスプレーエアゾール約０．２ｇを、１０ｃｍの距離から吸い取り紙に噴霧した。２分後、吸い取り紙を軽くこすった。吸い取り紙を対照試料で正確に同じ方法で処理した。こする前後で、２名の訓練を受けた香料エバリュエータにより香気の強度を評価した。
【０２７８】
こする前後で、香気の強度に差はなかった。
【０２７９】
実施例２３：カプセルを含むヘアフォームの調製及び評価
表１５の処方を有するヘアフォーム基剤４９．５ｇに、カプセルスラリー０．２５ｇを加え、水を加えて５０ｇにすることにより、カプセル試料１を含む試験試料を調製した。同一のヘアフォーム４９．９３３ｇに、遊離状のフレグランス物質番号１の０．０６７ｇを混合することにより、対照試料を作製した。試料を室温に２４時間放置し、試験直前に十分に混合した。
【０２８０】
【表２２】
0006405238.tif 000029
【０２８１】
試験法：湿らせた毛髪見本に、カプセル分散液を含むヘアフォーム０．４グラムを塗布した。毛髪見本を手で３０秒間マッサージし、その後室温で空気乾燥した。毛髪見本を、対照試料で正確に同じ方法で処理した。塗布の３時間及び２４時間後、毛髪見本をくしで３回梳いた。使用時と、設定時間間隔後にくしで梳いた前後に、２名の訓練を受けた香料エバリュエータにより香気の強度を評価した。試験試料と対照試料との間に香気の強度の差はなかった。
【０２８２】
本発明について、その特定の実施態様を参照して詳細に説明したが本発明の精神及び範囲から逸脱することなく、さまざまな変更及び修正を行うことができることは当業者には明らかであろう。
【０２８３】
本出願は、２０１２年１月２４日に出願された、欧州特許出願第１２３０５０８０．９号を基礎としたものであり、その内容の全ては引用により本明細書に組み込まれる。更に、本明細書中に引用された全ての文献の主題も引用により本明細書に組み込まれる。
【産業上の利用可能性】
【０２８４】
本発明によれば、貯蔵の際に、特にマイクロカプセルが液状媒体に分散され、例えば、非可食性消費者製品、洗濯用製品、パーソナルケア製品又は化粧品に関連して使用される場合に、コアに含まれる物質の漏出が低減された、フレグランス含有コア及び該コアを含むポリマーシェルを含むマイクロカプセルが提供される。更に、本発明によれば、ホルムアルデヒドを含まない上記マイクロカプセルが提供される。更に、本発明によれば、上記マイクロカプセルを製造するための簡単かつ効果的な方法が提供される。更に、本発明によれば、上述したようなフレグランス含有マイクロカプセルが、特に非可食性消費者製品、特に家庭用洗浄剤、洗濯用製品、パーソナルケア製品、及び化粧品のような液状消費者製品の一部として使用される場合に、マイクロカプセルからの漏出を低減するための技術的解決法が提供される。